(57)【要約】      （修正有）【課題】異なる寸法の診断試験所内移送コンパートメントおよびそれらに対応するホルダを、繊細な試験試料処理ステップのために、簡潔で、信頼性があり、費用効率の高い方法でセンタリングするユニット、システム、および方法の提供。【解決手段】フレーム上に枢動可能に互いに対向して搭載され、センタリング位置の垂直軸が、２つの対向する把持部間の距離の中央によって決定される、少なくとも２つのヒンジ式アームと、ヒンジ式アームの他の端部の各々が、枢動可能に接続されたコネクタであって、誘導構成要素上に可動に接続された、コネクタと、さらなるコネクタであって、さらなるコネクタおよびコネクタが、弾性部材によって互いに弾性的に接続され、さらなるコネクタが、誘導構成要素上に可動に接続された、さらなるコネクタと、さらなるコネクタを移動させるためのアクチュエータとを備える、診断試験所内移送コンパートメント用センタリングユニット。【選択図】図１
2018179989.tif 000002
【特許請求の範囲】
【請求項１】
１つの端部毎に把持部（９ａ、９ｂ）を有する少なくとも２つのヒンジ式アーム（４ａ、４ｂ）であって、フレーム（３）上に枢動可能に互いに対向して搭載され、センタリング位置（１０）の垂直軸が、２つの対向する把持部（９ａ、９ｂ）間の距離の中央によって決定される、少なくとも２つのヒンジ式アームと、
前記ヒンジ式アーム（４ａ、４ｂ）の他の端部の各々が、枢動可能に接続されたコネクタ（１１）であって、誘導構成要素（１３）上に可動に接続された、コネクタと、
さらなるコネクタ（１５）であって、前記さらなるコネクタ（１５）および前記コネクタが、弾性部材（１４）によって互いに弾性的に接続され、前記さらなるコネクタが、前記誘導構成要素（１３）上に可動に接続された、さらなるコネクタと、
前記さらなるコネクタを移動させるためのアクチュエータ（１６）とを
備える、診断試験所内移送コンパートメント用センタリングユニット（１）。
【請求項２】
露出端部（２０）と前記露出端部と反対側の端部にあるさらなる把持部（２１）とを有し、前記フレーム（３）またはさらなる弾性部材を有するさらなるフレーム上の相手側部品（２２）に枢動可能に連結され対向する少なくとも１つの回転可能なアーム（１８）であって、前記露出端部（２９）は、前記回転可能なアーム（１８）の回転、および前記さらなる把持部（２１）の前記センタリング位置（１０）の前記垂直軸から離れる方向への移動が、前記少なくとも２つのヒンジ式アーム（４ａ、４ｂ）のうちの１つと係合することによってトリガされるように、位置決めされた、少なくとも１つの回転可能なアームをさらに備える、請求項１に記載の診断試験所内移送コンパートメント用センタリングユニット（１）。
【請求項３】
前記少なくとも２つのヒンジ式アーム（９ａ、９ｂ）の前記把持部および前記回転可能なアーム（２１）の前記さらなる把持部が、二またに分かれている、請求項１または２に記載の診断試験所内移送コンパートメント用センタリングユニット（１）。
【請求項４】
前記弾性部材（１４）が、ばねである、請求項１から３のいずれかに記載の診断試験所内移送コンパートメント用センタリングユニット（１）。
【請求項５】
前記さらなる弾性部材が、ねじりばねである、請求項２から４のいずれかに記載の診断試験所内移送コンパートメント用センタリングユニット。
【請求項６】
前記相手側部品（２２）が、露出端部（２０）およびさらなる把持部（２１）を有するさらなる回転可能なアーム（１８）である、請求項２から５のいずれかに記載の診断試験所内移送コンパートメント用センタリングユニット（１）。
【請求項７】
前記少なくとも２つのヒンジ式アーム（４ａ、４ｂ）の各々が、それぞれの関節（７ａ、７ｂ）によって互いに枢動可能に接続された第１のアーム部材（５ａ、５ｂ）および第２のアーム部材（６ａ、６ｂ）を備え、前記第１のアーム部材の中央領域で各ヒンジ式アームが、前記フレーム（３）上の枢軸点（８ａ、８ｂ）に対して枢動可能に接続され、前記把持部（９ａ、９ｂ）と前記少なくとも２つのヒンジ式アームの各々の前記枢軸点（８ａ、８ｂ）との間の距離、および前記枢軸点（８ａ、８ｂ）と前記少なくとも２つのヒンジ式アーム（７ａ、７ｂ）の各々のそれぞれの関節との間の距離は、１と０．１の間の比を有する、請求項１から６のいずれかに記載の診断試験所内移送コンパートメント用センタリングユニット（１）。
【請求項８】
前記診断試験所内移送コンパートメント用センタリングユニット（１）は、少なくとも１つのさらなる診断試験所内移送コンパートメント用センタリングユニット（１ａ〜１ｇ）に接続され、各診断試験所内移送コンパートメント用センタリングユニットの前記さらなるコネクタは、共通コネクタ（２３）に接続され、前記共通コネクタ（２３）は、少なくとも２つの誘導構成要素（１３）上に可動に接続され、前記共通コネクタは、前記アクチュエータ（１６）に連結される、請求項１から７のいずれかに記載の診断試験所内移送コンパートメント用センタリングユニット（１）。
【請求項９】
請求項１から８に記載の少なくとも１つの診断試験所内移送コンパートメント用センタリングユニット（１）と、
異なる寸法の少なくとも１つの診断試験所内移送コンパートメントを受けるように構成された１つまたは複数の可撓性アダプタ（２９）を有する少なくとも１つの診断試験所内移送コンパートメントホルダ（２８）と、
試験試料を含む容器である少なくとも１つの診断試験所内移送コンパートメント（２５）であって、前記診断試験所内移送コンパートメントホルダ（２８）内に挿入される、少なくとも１つの診断試験所内移送コンパートメントとを
備える、試験所システム（３１）。
【請求項１０】
少なくとも１つの吸引および／または分注位置（３２）を有するピペット装置（３３）あるいは少なくとも１つの取扱位置を有する取扱装置であって、前記少なくとも１つの吸引および／または分注位置（３２）あるいは前記取扱位置は、前記センタリング位置（１０）の前記垂直軸に位置合わせされる、少なくとも１つの吸引および／または分注位置を有するピペット装置あるいは少なくとも１つの取扱位置を有する取扱装置をさらに備える、請求項９に記載の試験所システム（３１）。
【請求項１１】
試験所コンベヤシステム（３４）に動作可能に連結されることが可能である診断試験所内移送コンパートメントコンベヤ（２６）をさらに備える、請求項９または１０に記載の試験所システム（３１）。
【請求項１２】
ａ）前記さらなるコネクタ（１５）を第１の移動方向へ移動させるステップであって、それにより前記少なくとも２つのヒンジ式アーム（４ａ、４ｂ）を伸張させ、前記把持部（９ａ、９ｂ）を診断試験所内移送コンパートメント受取りおよび解放の位置に位置決めする、ステップと、
ｂ）前記把持部（９ａ、９ｂ）間の診断試験所内移送コンパートメント（２５）を移動させるステップと、
ｃ）前記さらなるコネクタ（１５）を第２の移動方向へ移動させるステップであって、それにより前記少なくとも２つのヒンジ式アームを屈曲させ、前記把持部を前記センタリング位置の前記垂直軸の方向へ移動させ、前記把持部は、前記診断試験所内移送コンパートメント（２５）を両側から押圧し、前記診断試験所内移送コンパートメント（３０）の縦軸を前記センタリング位置（１０）の前記垂直軸と位置合わせする、ステップと、
ｄ）前記診断試験所内移送コンパートメント（２５）を解放するために、ステップａ）を繰り返すステップと、
ｅ）前記把持部（９ａ、９ｂ）間の前記診断試験所内移送コンパートメント（２５）を除去するステップとを
含む、請求項１から８のいずれかに記載の診断試験所内移送コンパートメント用センタリングユニット（１）を使用して、診断試験所内移送コンパートメントをセンタリングするための方法。
【請求項１３】
ステップａ）において、前記ヒンジ式アームのうちの少なくとも１つ（４ｂ）が、前記回転可能なアーム（１８）の前記露出端部（２０）を押圧し、前記回転可能なアーム（１８）の回転をもたらし、それにより前記さらなる把持部（２１）を診断試験所内移送コンパートメントホルダの受取りおよび解放の位置に位置決めし、前記さらなる弾性部材上の張力を発生させ、ステップｃ）において、前記ヒンジ式アームのうちの少なくとも１つ（４ｂ）が、前記回転可能なアーム（１８）の前記露出端部（２０）を解放し、前記さらなる弾性部材の張力緩和および前記回転可能なアーム（１８）の回転をもたらし、それにより、前記さらなる把持部（２１）を前記センタリング位置（１０）の前記垂直軸の方向へ移動させ、前記把持部（２１）は、前記診断試験所内移送コンパートメントホルダ（２８）の前記縦軸を前記センタリング位置（１０）の縦軸に位置合わせするために、前記診断試験所内移送コンパートメントホルダ（２８）と前記相手側部品（２２）とを押圧する、請求項１２に記載の診断試験所内移送コンパートメントをセンタリングするための方法。
【請求項１４】
ステップｃ）で、前記診断試験所内移送コンパートメント（２５）の前記縦軸（３０）が前記センタリング位置（１０）の前記垂直軸と位置合わせされる前に、前記診断試験所内移送コンパートメントホルダ（２８）の前記縦軸は、前記センタリング位置（１０）の前記垂直軸に位置合わせされ、ステップｄ）で前記診断試験所内移送コンパートメント（２５）が解放されたあとに解放される、請求項１３に記載の診断試験所内移送コンパートメントをセンタリングするための方法。
【請求項１５】
ステップｂ）で、前記少なくとも２つのアーム（４ａ、４ｂ）の前記把持部（９ａ、９ｂ）間の前記診断試験所内移送コンパートメント（２５）の前記移動、および前記少なくとも２つのアーム（４ａ、４ｂ）の前記把持部（９ａ、９ｂ）間の前記診断試験所内移送コンパートメント（２５）の前記除去が、診断試験所内移送コンパートメントコンベヤ（２６）によって介在される、請求項１２から１４のいずれかに記載の診断試験所内移送コンパートメントをセンタリングするための方法。
【発明の詳細な説明】
【技術分野】
【０００１】
本発明は、自動の試験管内の診断試料処理の分野に関する。この分野において、本発明は、一定の試験試料処理ステップの精度および安全性を保証するために、診断試験所内移送コンパートメントをセンタリングするためのユニット、システム、および方法に関する。
【背景技術】
【０００２】
診断試験所環境では、液体試験試料および試験試薬は、試験試料を処理するための予備分析、分析、および後分析のステーションなどの、複数のステーション間を移送される。通常、液体試験試料および試験試薬は、１つのまたは複数のどちらかの診断試験所内移送コンパートメントを受けることができる診断試験所内移送コンパートメントホルダ内に挿入された診断試験所内移送コンパートメントの中に入れて移送される。試験試料のタイプ、試験試料処理ステップ、試験試薬、および製造者により、直径、辺長、高さ、および形状などの診断試験所内移送コンパートメントの寸法は、さまざまである。したがって、診断試験所内移送コンパートメントホルダは、異なる寸法の診断試験所内移送コンパートメントを受けるために可撓性アダプタを必要とする。診断試験所内移送コンパートメントは、診断試験所内移送コンパートメントホルダ内に、手動で挿入され得て、または挿入は、自動化された診断試験所内移送コンパートメントの取扱または分類装置によって介在される。半自動の試験所では、診断試験所内移送コンパートメントおよびその対応するホルダは、手動で移送され、一方、完全自動の試験所では、診断試験所内移送コンパートメントホルダは、試験所コンベヤシステム上で移送され、試験試料および試験試薬を、異なる数の試験試料に対する異なる試料処理ステップおよび試験を同時に実行し得る接続されたステーションに分配する。
【０００３】
いくつかの試験試料処理ステップは、ピペット装置を使用して、液体試験試料および試験試薬を、診断試験所内移送コンパートメントの外部および／または内部へ、吸引および／または分注するような、ピペット操作を含む。ピペット装置と、診断試験所内移送コンパートメントとの間の物理的接触が、試験試料の相互汚染、試験試薬の相互汚染、および／または診断試験所内移送コンパートメントもしくはピペット装置の損傷の原因となり得るので、これらのピペット操作のために、ピペット装置の吸引／分注位置に対する診断試験所内移送コンパートメントの正確な垂直の向きが重要である。
【０００４】
しかしながら、診断試験所内移送コンパートメントは、多くの場合、手動で診断試験所内移送コンパートメントホルダ内に挿入され、診断試験所内移送コンパートメントホルダの可撓性アダプタは、少なくともわずかな挿入の変動性を有し、診断試験所内移送コンパートメントは、診断試験所内移送コンパートメントホルダ内で、常時垂直ではなく、傾斜した配置となる。さらに、診断試験所内移送コンパートメントの垂直の向きのずれは、不適切な手動移送に、および試験所コンベヤシステムの一様でないまたはよごれた表面に、起因し得る。加えて、コンベヤシステムの移送経路は、いくらかの公差をさらに有するので、診断試験所内移送コンパートメントホルダは、ピペット装置の吸引／分注位置または取扱装置の取扱位置に対して、常時適切にセンタリングされない。
【０００５】
米国特許出願第２０１６０１５９５７９号は、試験管立て内の試料試験管を２つの把持アームを使用して再配置するための装置を開示している。２つの把持アームの各々は、試料試験管に適合させるために、弾性的に変形可能であり得る。
【先行技術文献】
【特許文献】
【０００６】
【特許文献１】米国特許出願第２０１６０１５９５７９号
【発明の概要】
【発明が解決しようとする課題】
【０００７】
異なる寸法の診断試験所内移送コンパートメントおよびそれらに対応するホルダを、繊細な試験試料処理ステップのために、簡潔で、信頼性があり、費用効率の高い方法で、センタリングする必要がある。本発明の目的は、従来のセンタリング機構を改善し、特に、自動の試験管内の診断試験試料処理の要求により良く役立つことであった。
【課題を解決するための手段】
【０００８】
本発明は、異なる寸法の１つまたは複数の診断試験所内移送コンパートメントをセンタリングするための、センタリングユニット、試験所システム、および方法を開示する。
【０００９】
診断試験所内移送コンパートメント用センタリングユニットは、互いに対向するフレーム上に固定された少なくとも２つの支持部品を備える。診断試験所内移送コンパートメント用センタリングユニットは、少なくとも２つのアームをさらに備える。少なくとも２つのアームの各々は、それぞれの関節を用いて互いに枢動可能に接続された第１のアーム部材および第２のアーム部材を有する。第１のアーム部材の中央領域では、各アームは、各支持部品上の枢軸点に対して枢動可能に接続されている。少なくとも２つのアームの各第１のアーム部材の関節接続の反対側の端部には、把持部が取り付けられている。把持部間の距離の中央が、センタリング位置の垂直軸を決定する。各アームの把持部と枢軸点との間の距離は、同一である。診断試験所内移送コンパートメント用センタリングユニットは、各第２のアーム部材の関節接続の反対側の端部が、少なくとも１つの枢軸点に対して枢動可能に接続されたコネクタをさらに備え、コネクタは、誘導構成要素上に可動に接続されている。診断試験所内移送コンパートメント用センタリングユニットは、そのコネクタおよびさらなるコネクタに接続された弾性部材をさらに備える。さらなるコネクタは、誘導構成要素上に可動に接続される。診断試験所内移送コンパートメント用センタリングユニットは、さらなるコネクタに連結されたアクチュエータをさらに備える。
【００１０】
また、本発明は、本明細書に記載の少なくとも１つの診断試験所内移送コンパートメント用センタリングユニットと、異なる寸法の少なくとも１つの診断試験所内移送コンパートメントを受けるように構成された１つまたは複数の可撓性アダプタを有する少なくとも１つの診断試験所内移送コンパートメントホルダと、少なくとも１つの診断試験所内移送コンパートメントを備える、試験所システムに関する。少なくとも１つの診断試験所内移送コンパートメントは、試験試料を含む容器であり、診断試験所内移送コンパートメントホルダ内に挿入される。
【００１１】
また、本発明は、本明細書に記載の診断試験所内移送コンパートメント用センタリングユニットを使用して、診断試験所内移送コンパートメントをセンタリングするための方法に関する。方法は、以下の、
・少なくとも２つのアームの枢軸点から離れるようにさらなるコネクタを移動させるステップであって、少なくとも２つのアームの各々の回転をもたらし、それにより把持部を診断試験所内移送コンパートメントの受取りおよび解放の位置に位置決めする、ステップと、
・把持部間の診断試験所内移送コンパートメントを移動させるステップと、
・さらなるコネクタを少なくとも２つのアームの枢軸点の方向へ移動させるステップであって、アームの各々の回転をもたらし、それにより把持部をセンタリング位置の垂直軸の方向へ移動させ、把持部は、診断試験所内移送コンパートメントを両側から押圧し、診断試験所内移送コンパートメントの縦軸をセンタリング位置の垂直軸と位置合わせする、ステップと、
・診断試験所内移送コンパートメントを解放するために第１のステップを繰り返すステップと、
・把持部間の診断試験所内移送コンパートメントを除去するステップとを
含む。
【００１２】
また、本発明は、１つの端部毎に把持部を有する少なくとも２つのヒンジ式アームを備える診断試験所内移送コンパートメント用センタリングユニットに関する。少なくとも２つのヒンジ式アームが、フレームに枢動可能に互いに対向して搭載されている。診断試験所内移送コンパートメント用センタリングユニットは、ヒンジ式アームの他の端部の各々が、枢動可能に接続されたコネクタをさらに備え、コネクタは、誘導構成要素上に可動に接続されている。診断試験所内移送コンパートメント用センタリングユニットは、さらなるコネクタを備える。さらなるコネクタおよびコネクタは、弾性部材を使用して、互いに弾性的に接続されており、さらなるコネクタは、誘導構成要素上に可動に接続されている。診断試験所内移送コンパートメント用センタリングユニットは、また、さらなるコネクタを移動させるためのアクチュエータを備える。
【００１３】
また、本発明は、本明細書に記載の少なくとも１つの診断試験所内移送コンパートメント用センタリングユニットと、異なる寸法の少なくとも１つの診断試験所内移送コンパートメントを受けるように構成された１つまたは複数の可撓性アダプタを有する少なくとも１つの診断試験所内移送コンパートメントホルダと、少なくとも１つの診断試験所内移送コンパートメントを備える、試験所システムに関する。少なくとも１つの診断試験所内移送コンパートメントは、試験試料を含む容器であり、診断試験所内移送コンパートメントホルダ内に挿入される。
【００１４】
また、本発明は、本明細書に記載の診断試験所内移送コンパートメント用センタリングユニットを使用して、診断試験所内移送コンパートメントをセンタリングするための方法に関する。方法は、以下の、
・さらなるコネクタを第１の移動方向へ移動させるステップであって、それにより少なくとも２つのヒンジ式アームを伸張させ、把持部を診断試験所内移送コンパートメントの受取りおよび解放の位置に位置決めする、ステップと、
・把持部間の診断試験所内移送コンパートメントを移動させるステップと、
・さらなるコネクタを第２の移動方向へ移動させるステップであって、それにより少なくとも２つのヒンジ式アームを屈曲させ、把持部をセンタリング位置の垂直軸の方向へ移動させ、把持部は、診断試験所内移送コンパートメントを両側から押圧し、診断試験所内移送コンパートメントの縦軸をセンタリング位置の垂直軸と位置合わせする、ステップと、
・診断試験所内移送コンパートメントを解放するために第１のステップを繰り返すステップと、
・把持部間の診断試験所内移送コンパートメントを除去するステップとを
含む。
【００１５】
本発明は、診断試験所内移送コンパートメント用センタリングユニットに関する。診断試験所内移送コンパートメント用センタリングユニットは、互いに対向するフレーム上に固定された少なくとも２つの支持部品を備える。診断試験所内移送コンパートメント用センタリングユニットは、少なくとも２つのアームをさらに備える。少なくとも２つのアームの各々は、それぞれの関節を用いて互いに枢動可能に接続された第１のアーム部材および第２のアーム部材を有する。第１のアーム部材の中央領域では、各アームは、各支持部品上の枢軸点に対して枢動可能に接続されている。少なくとも２つのアームの各第１のアーム部材の関節接続の反対側の端部には、把持部が取り付けられている。把持部間の距離の中央が、センタリング位置の垂直軸を決定する。各アームの把持部と枢軸点との間の距離は、同一である。診断試験所内移送コンパートメント用センタリングユニットは、各第２のアーム部材の関節接続の反対側の端部が、少なくとも１つの枢軸点に対して枢動可能に接続されたコネクタをさらに備え、コネクタは、誘導構成要素上に可動に接続されている。診断試験所内移送コンパートメント用センタリングユニットは、そのコネクタおよびさらなるコネクタに接続された弾性部材をさらに備える。さらなるコネクタは、誘導構成要素上に可動に接続される。診断試験所内移送コンパートメント用センタリングユニットは、さらなるコネクタに連結されたアクチュエータをさらに備える。
【００１６】
この診断試験所内移送コンパートメント用センタリングユニットの利点は、少なくとも２つのアームが単一の可動コネクタに接続され、ピペット装置の吸引および／または分注位置または取扱装置の取扱位置に対する、診断試験所内移送コンパートメントのより信頼できる良好なセンタリングのための２つのアームの同期回転を可能にすることである。
【００１７】
本明細書では、用語「センタリング」は、診断試験所内移送コンパートメントおよび／または診断試験所内移送コンパートメントホルダの縦軸を、センタリング位置の垂直軸と位置合わせするプロセスに関する。センタリング位置の垂直軸は、結果として、ピペット装置の吸引／分注位置および／または取扱もしくは分類装置の取扱位置に位置合わせされる。ピペット装置または診断試験所内移送コンパートメント取扱装置は、予備分析、分析、または後分析ステーションの一部であってもよい。予備分析ステーションは、通常、試験試料または試料試験管の予備的な処理に使用され得る。分析ステーションは、例えば、分析物が存在するかどうか、存在する場合濃度はいくらかを判定することが可能な、測定可能な信号を生成するために、試験試料または試験試料の一部および試験試薬を使用するように設計され得る。後分析ステーションは、通常、試験試料の保管などの試験試料の後処理のために使用され得る。予備分析、分析、および後分析ステーションは、例えば、以下のステーション群、試験試料または試験試料試験管を分類するための分類ステーション、試料試験管のキャップを取るまたは閉めるためのキャップ除去ステーション、試料試験管にキャップをはめるまたは閉めるためのキャップ装着ステーション、試料をピペット処理するためのピペットステーション、試料をアリコートするためのアリコートステーション、試料を遠心分離するための遠心分離ステーション、試料を分析するための分析器、試料を保管するための保管ステーション、試料試験管タイプを判定するための試料試験管タイプ判定ステーション、試料品質を判定するための試料品質判定ステーション、の少なくとも１つのステーションを備え得る。
【００１８】
本明細書では、用語「センタリングユニット」は、診断試験所内移送コンパートメントおよび／または診断試験所内移送コンパートメントホルダの縦軸を、センタリング位置の垂直軸と位置合わせするセンタリングプロセスを実行する装置に関する。
【００１９】
ある実施形態では、診断試験所内移送コンパートメント用センタリングユニットは、少なくとも診断試験所内移送コンパートメント用センタリングユニットの動作中は、周囲に対して動かない固定基礎または組立台であるフレームを備える。フレームは、支持部品をフレーム内外の３次元空間内に位置決めするために、支持部品をしっかりと固定する（例えば、溶接、ボルト止め、など）ように適合される。フレームは、１つの部品または互いに相互接続された複数の部品で構成され得る。フレームは、十分な剛性をもたらす任意の適切な材料からなる（例えば、金属、プラスチック、など）。フレームは、診断試験所内移送コンパートメント用センタリングユニットまたはコンベヤ、予備分析、分析、および後分析システムなどの他のシステムの他のフレームに接続され得る。
【００２０】
さらに具体的な実施形態では、フレームは、診断試験所内移送コンパートメントのための移送経路を包囲する、底部および２つの対向する側壁を備えるスリースを形成し得る。側壁のうちの１つは、移送経路への進入路を提供するために開口している。底部は、診断試験所内移送コンパートメントコンベヤを収容するように構成される。
【００２１】
別の実施形態では、フレームは、センタリングユニットの剛体台座、または予備分析、分析、および後分析システムなどの接続されたシステムの一部であり得る。
【００２２】
別の実施形態では、フレームは、センタリングユニットの剛体筐体、または予備分析、分析、および後分析システムなどの接続されたシステムの一部であり得る。
【００２３】
ある実施形態では、診断試験所内移送コンパートメント用センタリングユニットは、互いに対向するフレーム上に、少なくとも１つの診断試験所内移送コンパートメントが２つの支持部品間に位置決めされ得る最小距離で固定された少なくとも２つの支持部品を備える。支持部品は、少なくとも１つの他の部品をフレーム内外の３次元空間内に位置決めするために、少なくとも１つの他の部品が可動に（例えば、枢軸点、関節などにより接続され）または不可動に（例えば、溶接、ボルト止め、など）接続され得る担体構成要素であり得る。
【００２４】
ある実施形態では、フレームおよび支持部品は、単一の部品として成型される。このことは、センタリングユニットの剛性を改善し、それゆえ診断試験所内移送コンパートメントのセンタリングの精度を改善する。
【００２５】
ある実施形態では、診断試験所内移送コンパートメント用センタリングユニットは、互いに対向して位置決めされた把持部を有し、アーム対を形成する２つのアームを備える。把持部間の距離の中央が、センタリング位置の垂直軸を決定する。アーム対の把持部は、受取りおよび解放の位置ならびにセンタリング位置に位置決めされ得る。受取りおよび解放の位置では、診断試験所内移送コンパートメントおよび／または診断試験所内移送コンパートメントホルダを２つの把持部間で移動および／または再移動させるために、２つの把持部間の距離は、十分に広い。センタリング位置では、２つの把持部は、両側からセンタリング位置の垂直軸の方向に一様に押圧する。診断試験所内移送コンパートメントが、２つの把持部間に位置決めされる場合、２つの把持部は、両側から診断試験所内移送コンパートメントを一様に押圧し、それにより診断試験所内移送コンパートメントをセンタリングする。
【００２６】
ある実施形態では、少なくとも２つのアームの各々は、第１のアーム部材および第２のアーム部材を備える。第１のアーム部材は、第２のアーム部材と比較して、異なるまたは同一の形状および／または寸法（例えば、長さ、直径、幅など）を有する。十分な剛性を有する任意の適切な材料（例えば、金属またはプラスチック）からなる第１および第２のアーム部材は、それぞれの関節を用いて互いに枢動可能に接続される。
【００２７】
さらに具体的な実施形態では、それぞれの関節は、第１および第２のアーム部材が互いの方向および離れる方向へ枢動し、それにより２つのアームを屈曲および伸張させることを可能にする、ピン継手である。
【００２８】
ある実施形態では、２つのアームの各々は、２つのアームの各々の第１のアーム部材の中央領域にある２つの支持部品の各々の上の枢軸点に対して枢動可能に接続されている。
【００２９】
さらに具体的な実施形態では、把持部と少なくとも２つのアームの各々の枢軸点との間の距離、および枢軸点と少なくとも２つのアームの各々のそれぞれの関節との間の距離は、１と０．１の間の比を有する。この配置の利点は、第１および第２のアーム部材の長い回転動作が、短くさらに高精度な把持部動作へと変換されることである。したがって、第１および第２のアーム部材の製造公差は、補償され、試験所内移送コンパートメントのさらに正確なセンタリングをもたらし得る。
【００３０】
ある実施形態では、各アームはまた、第１のアーム部材の関節接続の反対側の端部に、把持部がセンタリング位置にあるとき把持部が水平に位置決めされるようにある角度で取り付けられた把持部を備える。
【００３１】
ある実施形態では、診断試験所内移送コンパートメントの高さに対する把持部の位置は、信頼できる試験試料処理が可能であるように選択される。
【００３２】
さらに具体的な実施形態では、把持部は、把持部による汚染を回避することによって試験試料を高信頼性において処理するために、試験所内移送コンパートメントの上部開口下の高さが少なくとも２０％の位置で診断試験所内移送コンパートメントを把持するように構成され得る。さらに、診断試験所内移送コンパートメントの表面に対する把持部の接触点、ライン、または領域のサイズは、貼付されたバーコードまたはＲＦＩＤタグを損傷するリスクを最小限にするためにできるだけ小さくされている。
【００３３】
ある実施形態では、少なくとも２つのアームの把持部は、二またに分かれている。各二またに分かれた把持部は、２つの左右対称な同一の長さの、互いに１°と１７９°の間の角度を有するフィンガを備え、２つのフィンガ先端は、把持部がセンタリング位置にあるとき、水平面上に位置決めされる。２つのフィンガは、直線のまたは湾曲した形状、あるいはその組合せを有する。２つの直線のフィンガおよび互いに９０°の角度を有する二またに分かれた把持部の一例は、診断試験所内移送コンパートメントと２つの分離した接点で接触するＶ字形状把持部である。センタリングされることになる診断試験所内移送コンパートメントの寸法の範囲により、２つのフィンガ間の角度は、選択されるべきである。診断試験所内移送コンパートメントの寸法が大きいほど、選択される角度は、より大きくなる。把持部と診断試験所内移送コンパートメントとの間の接点は、センタリング安定性を改善する湾曲形状を有するフィンガによって、増大され得る。二またに分かれた把持部は、円筒状の診断試験所内移送コンパートメントの縦軸をセンタリング位置の垂直軸に位置合わせするのに有利である。
【００３４】
別の実施形態では、把持部は、診断試験所内移送コンパートメントに２つの対向する接触ラインまたは接触領域で接触する平坦なクランプであってもよい。平坦なクランプは、直方体の診断試験所内移送コンパートメントの縦軸をセンタリング位置の垂直軸に位置合わせするのに有利である。
【００３５】
ある実施形態では、センタリング位置の垂直軸は、２つの対向する把持部間の距離の中央によって決定される。把持部が、二またに分かれているとき、センタリング位置の垂直軸は、二またに分かれた把持部の２つの対向するフィンガ先端間の距離の中央によってさらに決定される。
【００３６】
ある実施形態では、センタリング位置の垂直軸は、ピペット装置の吸引および／または分注位置に位置合わせされ、正確かつ安全なピペット操作を可能にする。
【００３７】
別の実施形態では、センタリング位置の垂直軸は、診断試験所内移送コンパートメント取扱装置の取扱位置に位置合わせされ、正確かつ安全な取扱操作を可能にする。
【００３８】
ある実施形態では、各アームの把持部と枢軸点との間の距離は、第１のアーム部材の全体の製造精度の範囲内で、同一である。このことは、把持部の接触点、ライン、または領域が、センタリング位置の垂直軸に関して互いに対向することを保証する。
【００３９】
ある実施形態では、診断試験所内移送コンパートメント用センタリングユニットは、２つのアームが枢動可能に接続されるコネクタをさらに備える。
【００４０】
さらに具体的な実施形態では、２つの第２のアーム部材の関節接続の反対の端部が、コネクタ上の２つの枢軸点に対して枢動可能に接続される。
【００４１】
代替の実施形態では、２つの第２のアーム部材の関節接続の反対の端部が、コネクタ上の１つの枢軸点に対して枢動可能に接続される。
【００４２】
ある実施形態では、ピペット装置が、アーム対の把持部間に配置されるときの診断試験所内移送コンパートメントの開口上部に直接進入路を有するように、コネクタは、アーム対の下方に配置される。このことにより、診断試験所内移送コンパートメントが２つのアームの把持部間に位置決めされ、センタリングされた位置に維持されるとき、安全なピペット処理が可能になる。
【００４３】
ある実施形態では、取扱装置が、アーム対の把持部間に配置されるとき、診断試験所内移送コンパートメントの上部に直接進入路を有するように、コネクタは、アーム対の下方に配置される。このことにより、診断試験所内移送コンパートメントが２つのアームの把持部間に位置決めされ、センタリングされた位置に維持されるとき、安全な取扱操作が可能になる。
【００４４】
ある実施形態では、診断試験所内移送用センタリングユニットは、また、コネクタが可動に接続された誘導構成要素を備える。誘導構成要素は、第１の移動方向と、第１の方向と反対の第２の移動方向と、コネクタの移動距離とを規定する。コネクタの二方向移動は、把持部を受取りおよび解放の位置、ならびにセンタリング位置に導くために、２つのアームの同期した回転に変換される。２つのアームの同期は、それゆえ、有利に、診断試験所内移送コンパートメントを正確にセンタリングすることができる。
【００４５】
具体的な実施形態では、コネクタの二方向移動は、直線的な下方／上方への移動または前方／後方への移動である。
【００４６】
さらに具体的な実施形態では、誘導構成要素は、コネクタに関してセンタリングされた垂直の向きを有するコネクタの上方および下方への移動のためのロッドである。コネクタの上方への移動は、２つのアーム部材の互いに対する回転をもたらす。それにより、アームは屈曲し、把持部は、センタリング位置の垂直軸の方向へ同期して移動する。コネクタの下方への移動は、２つのアーム部材の互いから離れる回転をもたらす。それにより、アームは伸張し、把持部は、センタリング位置の垂直軸の方向から離れる方向へ、かつ診断試験所内移送コンパートメントの受取りおよび解放の位置へ、同期して移動する。
【００４７】
ある実施形態では、コネクタは、コネクタを誘導構成要素に沿って下方に移動させるために十分に重い材料（例えば、鉄または重い合金）からなる。
【００４８】
さらに具体的な実施形態では、誘導構成要素は、把持部間に配置されている診断試験所内移送コンパートメントの上部への直接進入路を提供するために、コネクタの下方に配置され得る。
【００４９】
ある実施形態では、診断試験所内移送用センタリングユニットは、そのコネクタおよびさらなるコネクタに接続された弾性部材をさらに備える。さらなるコネクタは、誘導構成要素上に可動に接続される。コネクタとさらなるコネクタとの間の弾性部材が、さらなるコネクタの移動を、コネクタ、少なくとも２つのアーム、および把持部の弾性的移動に変換する。したがって、コネクタとさらなるコネクタとの間に接続された弾性部材は、診断試験所内移送コンパートメントの多様な寸法を補償し得る。それゆえ、異なる寸法の診断試験所内移送コンパートメントの適合およびセンタリングは、単一の弾性部材に依存する。このことにより、２つの分離したまたは複数の弾性部材の不均一な劣化が生じないようにし得るので、維持活動およびコストが最小化され、可動停止時間が削減されることにより、毎日数百の診断試験所内移送コンパートメントが、センタリングされなければならない場合、困難な環境での長い稼働時間中、診断試験所内移送コンパートメントの正確で信頼性の高いセンタリングが可能になる。
【００５０】
具体的な実施形態では、弾性部材は、ばねである。ばねは、線形特性ばねであり、誘導構成要素を取り囲んでもよい。
【００５１】
ある実施形態では、さらなるコネクタは、誘導構成要素上に可動に接続される。把持部間に配置されている診断試験所内移送コンパートメントの上部への直接進入路を提供するために、さらなるコネクタは、コネクタの下方で誘導構成要素上に可動に接続される。
【００５２】
ある実施形態では、さらなるコネクタは、互いに接続された上部構成要素および下部構成要素を備え、誘導構成要素に関して上方および下方からコネクタを取り囲む。さらなるコネクタの上部構成要素は、さらなるコネクタが下方へ移動しているとき、コネクタの下方への移動を支援する。
【００５３】
ある実施形態では、診断試験所内移送用センタリングユニットは、さらなるコネクタに連結されたアクチュエータをさらに備える。アクチュエータは、センタリングユニットのさらなるコネクタを、誘導構成要素に沿って、第１の移動方向および第１の方向と反対の第２の移動方向へ移動させる。アクチュエータは、さらなるコネクタに歯付きベルトを用いて連結されている、能動的に回転するロータを有する電気モータであってもよい。
【００５４】
ある実施形態では、診断試験所内移送コンパートメント用センタリングユニットは、少なくとも１つのさらなる支持部品と、把持部を有するさらなるアームと、診断試験所内移送コンパートメントホルダの縦軸をセンタリング位置の垂直軸と位置合わせするための相手側部品とを、備える。少なくとも１つのさらなる支持部品は、フレーム上に、または少なくとも２つの支持部品のうちの１つと誘導構成要素との間のさらなるフレーム上に、固定される。さらなるアームが、さらなる弾性部材を有するさらなる支持部品上の枢軸点に対して枢動可能に接続される。さらなるアームは、露出端部と、露出端部の反対側の端部に取り付けられ、少なくとも２つのアームの把持部のうちの１つと誘導構成要素との間に配置された、さらなる把持部とを、有する。相手側部品は、フレーム上、またはさらなる把持部がセンタリング位置にあるときにさらなる把持部に対向するさらなるフレーム上に固定される。
【００５５】
具体的な実施形態では、さらなるアームの露出端部は、少なくとも２つのアームのうちの１つの第１のアーム部材および第２のアーム部材によって画定された平面状の三角形内に配置される。この配置により、１つのアームが、１つのアームの２つのアーム部材が互いから離れるように回転することによって伸張されるとき、少なくとも２つのアームのうちの１つは、さらなるアームの露出端部を押圧する。露出端部上に結果として得られた圧力は、さらなるアームの回転をもたらし、それによりさらなる把持部を診断試験所内移送コンパートメントホルダの受取りおよび解放の位置に位置決めする。さらなるアームの回転を介して、さらなる弾性部材上の張力を発生させる。１つのアームの２つのアーム部材が、互いの方向へ回転し、１つのアームが屈曲するとき、さらなるアームの露出端部は、解放され、さらなる弾性部材の張力緩和をもたらし、さらなる把持部は、センタリング位置の垂直軸の方向へ移動する。２つのアームのうちの１つが、さらなるアームの回転動作と、さらなる把持部の位置決めとを制御するので、診断試験所内移送コンパートメント用センタリングユニットは、診断試験所内移送コンパートメントと、その対応する診断試験所内移送コンパートメントホルダとを単一のアクチュエータを使用して同時に、有利にセンタリングすることができる。
【００５６】
さらに具体的な実施形態では、さらなる弾性部材は、ねじりばねである。
【００５７】
さらなる具体的な実施形態では、さらなる把持部は、二またに分かれた把持部である。これは、円筒状の診断試験所内移送コンパートメントホルダの縦軸をセンタリング位置の垂直軸に位置合わせするのに有利である。
【００５８】
代替実施形態では、さらなる把持部は、平坦なクランプである。これは、直方体の診断試験所内移送コンパートメントホルダの縦軸をセンタリング位置の垂直軸に位置合わせするのに有利である。
【００５９】
ある実施形態では、診断試験所内移送コンパートメント用センタリングユニットは、診断試験所内移送コンパートメントホルダのセンタリングを支援するために使用される相手側部品をさらに備える。相手側部品は、フレーム上、またはさらなる把持部がセンタリング位置にあるときにさらなる把持部に対向するさらなるフレーム上に固定される。相手側部品およびさらなる把持部は、互いに対する第２の最小距離を有し、その結果、少なくとも１つの診断試験所内移送コンパートメントホルダは、さらなる把持部と相手側部品との間に位置決めされ得るようになる。簡潔な相手側部品の使用は、同一の寸法の標準化された診断試験所内移送コンパートメントがセンタリングされなければならないとき、有利である。
【００６０】
ある実施形態では、相手側部品は、第２のさらなる支持部品およびさらなる把持部を有する第２のさらなるアームによって置換される。
【００６１】
さらに具体的な実施形態では、さらなるアームおよび第２のさらなるアームは、異なる寸法の診断試験所内移送コンパートメントホルダの縦軸をセンタリング位置の垂直軸に位置合わせするために、互いに対向して配置される。相手側部品は、フレーム上に、または少なくとも２つの支持部品のうちの１つと誘導構成要素との間のさらなるフレーム上に、固定された、第２のさらなる支持部品を備える。相手側部品は、さらなる弾性部材を有する第２のさらなる支持部品上の枢軸点に対して枢動可能に接続された、第２のさらなるアームを備える。第２のさらなるアームは、露出端部と、露出端部の反対側の端部に取り付けられ、少なくとも２つのアームの把持部のうちの１つと誘導構成要素との間に配置された、さらなる把持部とを、有する。さらなるアームおよび第２のさらなるアームのさらなる把持部間の距離の中央が、センタリング位置の垂直軸を決定する。さらなるアームおよび第２のさらなるアームの各々のさらなる把持部と枢軸点との間の距離は、さらなるアームの全体の製造精度の範囲内で、同一である。このことは、診断試験所内移送コンパートメントホルダの表面上の２つのさらなる把持部の接触点、ライン、または領域が、診断試験所内移送コンパートメントホルダの縦軸に関して互いに対向することを保証する。
【００６２】
具体的な実施形態では、第２のさらなるアームの露出端部は、少なくとも２つのアームのうちの１つの第１のアーム部材および第２のアーム部材によって画定された平面状の三角形内に配置される。この配置により、１つのアームが、１つのアームの２つのアーム部材が互いから離れるように回転することによって伸張されるとき、少なくとも２つのアームのうちの１つは、第２のさらなるアームの露出端部を押圧する。露出端部上に結果として得られた圧力は、第２のさらなるアームの回転をもたらし、それによりさらなる把持部を診断試験所内移送コンパートメントホルダの受取りおよび解放の位置に位置決めする。第２のさらなるアームの回転を介して、さらなる弾性部材上の張力を発生させる。１つのアームの２つのアーム部材が、互いの方向へ回転し、１つのアームが屈曲するとき、第２のさらなるアームの露出端部は、解放され、さらなる弾性部材の張力緩和をもたらし、さらなる把持部は、センタリング位置の垂直軸の方向へ移動する。この配置により、少なくとも２つのアームは、さらなるアームおよび第２のさらなるアームの回転動作、ならびに２つのさらなる把持部の位置決めを制御する。したがって、診断試験所内移送コンパートメント用センタリングユニットは、異なる寸法の診断試験所内移送コンパートメントおよび異なる寸法の診断試験所内移送コンパートメントホルダを、単一のアクチュエータを使用して同時に、有利にセンタリングすることができる。
【００６３】
さらに具体的な実施形態では、第２のさらなるアームのさらなる弾性部材は、ねじりばねである。
【００６４】
さらなる具体的な実施形態では、第２のさらなるアームのさらなる把持部は、二またに分かれた把持部である。これは、異なる寸法の円筒状の診断試験所内移送コンパートメントホルダの縦軸をセンタリング位置の垂直軸に位置合わせするのに有利である。
【００６５】
代替実施形態では、第２のさらなるアームのさらなる把持部は、平坦なクランプである。これは、異なる寸法の直方体の診断試験所内移送コンパートメントホルダの縦軸をセンタリング位置の垂直軸に位置合わせするのに有利である。
【００６６】
ある実施形態では、診断試験所内移送コンパートメント用センタリングユニットは、少なくとも２つのアーム間を移動するとき診断試験所内移送コンパートメントまたは診断試験所内移送コンパートメントホルダに起因する光ビームの遮断を検出するように適合された光バリアをさらに備える。光ビームの遮断は、診断試験所内移送コンパートメント用センタリングユニットのさらなるコネクタを移動させるために、信号を解釈し命令をアクチュエータに送信するように構成されたソフトウェアを実行するように適合されたコンピュータデバイスを備える制御装置に伝送される信号を生成する。信号の１つの解釈は、診断試験所内移送コンパートメントホルダが、２つの把持部間に位置決めされ、アクチュエータが、センタリング位置に２つの把持部を位置決めするために、さらなるコネクタを移動させることである。
【００６７】
ある実施形態では、診断試験所内移送コンパートメント用センタリングユニットは、診断試験所内移送コンパートメントコンベヤ上で移送される診断試験所内移送コンパートメントホルダを停止させるように構成されたストッパをさらに備え得る。ストッパは、診断試験所内移送コンパートメントホルダの移送経路を遮断および解放するための、診断試験所内移送コンパートメントコンベヤの移送経路に対して垂直の向きを有する、フレーム上またはさらなるフレーム上に固定された枢動障壁であり得る。結果的に、診断試験所内移送コンパートメントホルダは、診断試験所内移送コンパートメント用センタリングユニットに対して固定して維持され得て、その結果、把持部は、診断試験所内移送コンパートメントおよび診断試験所内移送コンパートメントホルダをセンタリングすることができる。
【００６８】
ある実施形態では、診断試験所内移送コンパートメント用センタリングユニットは、少なくとも１つのさらなる診断試験所内移送コンパートメント用センタリングユニットに接続される。各診断試験所内移送コンパートメント用センタリングユニットのさらなるコネクタは、共通コネクタに接続される。共通コネクタは、少なくとも２つの誘導構成要素上に可動に接続され、アクチュエータに連結される。
【００６９】
ある実施形態では、接続された診断試験所内移送コンパートメント用センタリングユニットの数は、ピペット装置の吸引／分注位置、および／または診断試験所内移送コンパートメント取扱装置の取扱位置の数に等しい。したがって、複数のアーム対を作動させることが可能であり、それにより、複数の診断試験所内移送コンパートメントおよび／または診断試験所内移送コンパートメントホルダを単一のアクチュエータで同時にセンタリングする。さらに、この配置により、接続された診断試験所内移送コンパートメント用センタリングユニットのさらなるアームは、試験試料試験管立てまたは試験試薬カセットラックを共にセンタリングすることができる。
【００７０】
さらなる実施形態では、共通コネクタは、アクチュエータの拡張された能動的に回転するロータに、共通コネクタの各端部に配置された２つの歯付きベルトを介して、連結され得る。この構成により、共通コネクタの誘導および移動が、最適化される。
【００７１】
ある具体的な実施形態では、共通コネクタは、第３の移動方向と、第３の方向と逆方向の第４の移動方向と、さらに共通コネクタの移動距離とを規定する追加の誘導構成要素上に可動に接続され、追加の誘導構成要素の第３の移動方向は、誘導構成要素の第１の移動方向と平行であり、追加の誘導構成要素の第４の移動方向は、誘導構成要素の第２の移動方向と平行である。追加の誘導構成要素は、共通コネクタの誘導および移動を支援し、さらに最適化する。
【００７２】
さらに具体的な実施形態では、追加の誘導構成要素は、共通コネクタを取り囲む所定の長さを有する２つの平行なレールまたは切欠きを備える。
【００７３】
ある実施形態では、共通コネクタは、互いに接続された上部構成要素および下部構成要素を備え、誘導構成要素に関して上方および下方から各センタリングユニットのコネクタを取り囲む。共通コネクタの上部構成要素は、共通コネクタが下方へ移動しているとき、各センタリングユニットのコネクタの下方への移動を支援する。
【００７４】
また、本発明は、本明細書に記載の少なくとも１つの診断試験所内移送コンパートメント用センタリングユニットと、異なる寸法の少なくとも１つの診断試験所内移送コンパートメントを受けるように構成された１つまたは複数の可撓性アダプタを有する少なくとも１つの診断試験所内移送コンパートメントホルダと、少なくとも１つの診断試験所内移送コンパートメントを備える、試験所システムに関する。少なくとも１つの診断試験所内移送コンパートメントは、試験試料を含む容器であり、診断試験所内移送コンパートメントホルダ内に挿入される。
【００７５】
本明細書では、用語「診断試験所内移送コンパートメントホルダ」は、少なくとも１つの診断試験所内移送コンパートメントを、受けること、保持すること、移送すること、および／または解放することに適合された任意の装置に関する。
【００７６】
ある実施形態では、診断試験所内移送コンパートメントホルダは、円筒状の形状と、閉鎖底部と、１つの診断試験所内移送コンパートメントを直立体勢で挿入するための挿入領域を有する開口上部とを有する。診断試験所内移送コンパートメントホルダは、その水平断面と垂直で、中間点にある縦軸を有する。そのような円筒状の診断試験所内移送コンパートメントホルダの一例は、単一の試料試験管ホルダである。
【００７７】
別の実施形態では、診断試験所内移送コンパートメントホルダは、直方体の形状と、閉鎖底部と、１つまたは複数の診断試験所内移送コンパートメントを直立体勢で挿入するための１つまたは複数の挿入領域を有する上部とを有する。直方体のホルダは、１つまたは複数の挿入領域の中間点に、その水平断面と垂直な１つまたは複数の縦軸を有する。そのような直方体の診断試験所内移送コンパートメントホルダの一例は、試験試料試験管立てである。そのような直方体の診断試験所内移送コンパートメントホルダの他の例は、試薬カセットラックである。
【００７８】
ある実施形態では、診断試験所内移送コンパートメントホルダの挿入領域は、異なる寸法の診断試験所内移送コンパートメントを受けるように構成された可撓性アダプタを備える。
【００７９】
本明細書では、用語「診断試験所内移送コンパートメント」は、試験試料（例えば、血液、尿、血清、血漿、または溶解された生検試料など）、試験試薬（例えば、免疫化学検査用試薬、臨床化学検査、凝固検査、血液検査、分子生物学の試験など）、またはその組合せなどの内容物を、受けること、貯蔵すること、移送すること、および／または解放することに適合された容器に関する。診断試験所内移送コンパートメントの内容物、試料処理ステップ、および製造者により材料は、直径、辺長、高さ、および形状などの診断試験所内移送コンパートメントの寸法と共に、さまざまである。
【００８０】
ある実施形態では、診断試験所内移送コンパートメントは、円筒形状、閉鎖底部、およびに開口上部を有する容器であり、円筒状の容器は、その水平断面と垂直で、中間点にある縦軸を有する。別法として、円筒状の容器の閉鎖底部は、丸みを帯びていてもよい。そのような円筒状の診断試験所内移送コンパートメントの一例は、試験試料を含む容器である。
【００８１】
別の実施形態では、診断試験所内移送コンパートメントは、直方体の形状と、閉鎖底部と、１つのまたは複数のピペット処理用開口を有する上部とを有する容器である。直方体の容器は、１つまたは複数のピペット処理用開口の中間点に、その水平断面と垂直な１つまたは複数の縦軸を有する。そのような直方体の診断試験所内移送コンパートメントの一例は、試験試薬を含む試薬カセットである。そのような直方体の診断試験所内移送コンパートメントの他の例は、試験試料または試験試薬、あるいはその混合物を含む反応キュベットである。
【００８２】
ある実施形態では、診断試験所内移送コンパートメントは、診断試験所内移送コンパートメントに接続された、または独立で提供された、キャップまたは蓋を備えている。
【００８３】
ある実施形態では、試験所システムは、少なくとも１つの吸引および／または分注位置を有するピペット装置をさらに備える。少なくとも１つの吸引および／または分注位置は、少なくとも１つの診断試験所内移送コンパートメント用センタリングユニットのセンタリング位置の垂直軸に位置合わせされる。この配置により、試料および／または試薬の正確で安全なピペット処理が保証される。
【００８４】
別の実施形態では、試験所システムは、少なくとも１つの取扱位置を有する取扱装置をさらに備える。少なくとも１つの取扱位置は、少なくとも１つの診断試験所内移送コンパートメント用センタリングユニットのセンタリング位置の垂直軸に位置合わせされる。この配置により、試験所内移送コンパートメントの正確で安全な取扱いが保証される。
【００８５】
ある実施形態では、ピペット装置および／または取扱装置は、予備分析、分析、または後分析ステーションの一部である。
【００８６】
ある実施形態では、試験所システムは、試験所コンベヤシステムに動作可能に連結されることが可能である診断試験所内移送コンパートメントコンベヤをさらに備える。したがって、診断試験所内移送コンパートメントコンベヤは、把持部間の診断試験所内移送コンパートメントを移動および除去するために、試験所システムの予備分析、分析、および／または後分析ステーションなどのステーションに接続された試験所コンベヤシステムから、または試験所コンベヤシステムへ、診断試験所内移送コンパートメントを受け取り、解放することが可能である。
【００８７】
ある実施形態では、診断試験所内移送コンパートメントコンベヤは、試験所コンベヤシステムの一部である。
【００８８】
ある実施形態では、試験所コンベヤシステムは、少なくとも１つの診断試験所内移送コンパートメント用センタリングユニットの前側に配置され、試験所コンベヤシステム上で移送される診断試験所内移送コンパートメントホルダを停止させるように構成されたストッパを、さらに備え得る。ストッパは、診断試験所内移送コンパートメントホルダの移送経路を遮断および解放するための、試験所コンベヤシステムの移送経路に対して垂直の向きを有する、枢動障壁であり得る。結果的に、診断試験所内移送コンパートメントは、試験所コンベヤシステム上で固定して維持され得て、その結果、所定数の後続の診断試験所内移送コンパートメントが一番目の診断試験所内移送コンパートメントホルダに追いつくことができ、一群の診断試験所内移送コンパートメントが、少なくとも１つの診断試験所内移送コンパートメント用センタリングユニットへさらに移送され得る。
【００８９】
また、本発明は、本明細書に記載の診断試験所内移送コンパートメント用センタリングユニットを使用して、診断試験所内移送コンパートメントをセンタリングするための方法に関する。方法は、以下の、
ａ）少なくとも２つのアームの枢軸点から離れるようにさらなるコネクタを移動させるステップであって、少なくとも２つのアームの各々の回転をもたらし、それにより把持部を診断試験所内移送コンパートメントの受取りおよび解放の位置に位置決めする、ステップと、
ｂ）把持部間の診断試験所内移送コンパートメントを移動させるステップと、
ｃ）さらなるコネクタを少なくとも２つのアームの枢軸点の方向へ移動させるステップであって、アームの各々の回転をもたらし、それにより把持部をセンタリング位置の垂直軸の方向へ移動させ、把持部は、診断試験所内移送コンパートメントを両側から押圧し、診断試験所内移送コンパートメントの縦軸をセンタリング位置の垂直軸と位置合わせする、ステップと、
ｄ）診断試験所内移送コンパートメントを解放するために第１のステップを繰り返すステップと、
ｅ）把持部間の診断試験所内移送コンパートメントを除去するステップとを
含む。
【００９０】
その方法は、試験試料のピペット処理などの試料処理ステップが開始される前に、短時間で実行されなければならない。診断試験所内移送コンパートメント用センタリングユニットが、診断試験所内移送コンパートメントの開口上部への直接進入路を提供するので、その方法は、ピペット装置の直ぐ前で、またはまさにピペット装置において実行され得る。試験所内移送コンパートメントは、さらに、試料のピペット処理中、センタリングユニットの把持部によって、センタリング位置に維持され得て、このことが、試料処理ステップの安全性を顕著に改善する。
【００９１】
ステップｃ）において、把持部は、診断試験所内移送コンパートメントを両側から押圧し、診断試験所内移送コンパートメントの縦軸をセンタリング位置の垂直軸と位置合わせする。両方の把持部が、同一の弾性部材にコネクタを介して弾性的に連結されているので、把持部は、診断試験所内移送コンパートメントを均一に両側から押圧する。このことは、複数の弾性部材の製造公差が回避されるので、異なる寸法を有する診断試験所内移送コンパートメントの、センタリング信頼性だけでなく、センタリング精度をも改善する。診断試験所内移送コンパートメントの正確なセンタリングは、試験試料分析のプロセスで通常実行されるピペット操作中の、診断試験所内移送コンパートメントとピペット装置との間の任意の接触を回避する。したがって、正確で信頼できるセンタリングの主要な利点は、診断試験所内移送コンパートメントおよびピペット装置の任意の試験試料相互汚染および損傷が、回避され、試験試料分析結果が、必要な品質および時間内でもたらされることである。
【００９２】
ある実施形態では、診断試験所内移送コンパートメントをセンタリングする方法は、診断試験所内移送コンパートメントホルダをセンタリングするステップａ）およびステップｃ）における以下のステップをさらに含む。
・ステップａ）において、回転するアームのうちの少なくとも１つが、さらなるアームの露出端部を押圧し、さらなるアームの回転をもたらし、それによりさらなるアームのさらなる把持部を診断試験所内移送コンパートメントホルダの受取りおよび解放の位置に位置決めする。そして、さらなるアームの回転が、さらなる弾性部材上の張力を発生させる。
・ステップｃ）において、回転するアームのうちの１つが、さらなるアームの露出端部を解放し、さらなる弾性部材の張力緩和およびさらなるアームの回転をもたらし、それにより、さらなる把持部をセンタリング位置の垂直軸の方向へ移動させる。把持部は、診断試験所内移送コンパートメントホルダの縦軸をセンタリング位置の縦軸に位置合わせするために、診断試験所内移送コンパートメントホルダと相手側部品とを押圧する。
【００９３】
その方法のある実施形態では、診断試験所内移送コンパートメントの縦軸がセンタリング位置の垂直軸と位置合わせされる前に、診断試験所内移送コンパートメントホルダの縦軸がセンタリング位置の垂直軸に位置合わせされ、診断試験所内移送コンパートメントが解放されたあとに解放される。
【００９４】
その方法のさらなる実施形態では、少なくとも２つのアームの把持部間の診断試験所内移送コンパートメントの移動、および少なくとも２つのアームの把持部間の診断試験所内移送コンパートメントの除去は、診断試験所内移送コンパートメントコンベヤによって介在される。
【００９５】
また、本発明は、１つの端部毎に把持部を有する少なくとも２つのヒンジ式アームを備える診断試験所内移送コンパートメント用センタリングユニットに関する。少なくとも２つのヒンジ式アームが、フレームに枢動可能に互いに対向して搭載されている。診断試験所内移送コンパートメント用センタリングユニットは、ヒンジ式アームの他の端部の各々が、枢動可能に接続されたコネクタをさらに備え、コネクタは、誘導構成要素上に可動に接続されている。診断試験所内移送コンパートメント用センタリングユニットは、さらなるコネクタを備える。さらなるコネクタおよびコネクタは、弾性部材を使用して、互いに弾性的に接続されており、さらなるコネクタは、誘導構成要素上に可動に接続されている。診断試験所内移送コンパートメント用センタリングユニットは、また、さらなるコネクタを移動させるためのアクチュエータを備える。
【００９６】
ある実施形態では、診断試験所内移送コンパートメント用センタリングユニットは、少なくとも診断試験所内移送コンパートメント用センタリングユニットの動作中は、周囲に対して動かない固定基礎または組立台であるフレームを備える。フレームは、支持部品をフレーム内外の３次元空間内に位置決めするために、支持部品をしっかりと固定する（例えば、溶接、ボルト止め、など）ように適合される。フレームは、１つの部品または互いに相互接続された複数の部品で構成され得る。フレームは、十分な剛性をもたらす任意の適切な材料からなる（例えば、金属、プラスチック、など）。フレームは、診断試験所内移送コンパートメント用センタリングユニットまたはコンベヤ、予備分析、分析、および後分析システムなどの他のシステムの他のフレームに接続され得る。
【００９７】
さらに具体的な実施形態では、フレームは、診断試験所内移送コンパートメントのための移送経路を包囲する、底部および２つの対向する側壁を備えるスリースを形成し得る。側壁のうちの１つは、移送経路への進入路を提供するために開口している。底部は、診断試験所内移送コンパートメントコンベヤを収容するように構成される。
【００９８】
別の実施形態では、フレームは、センタリングユニットの剛体台座、または予備分析、分析、および後分析システムなどの接続されたシステムの一部であり得る。
【００９９】
別の実施形態では、フレームは、センタリングユニットの剛体筐体、または予備分析、分析、および後分析システムなどの接続されたシステムの一部であり得る。
【０１００】
ある実施形態では、診断試験所内移送コンパートメント用センタリングユニットは、互いに対向するフレーム上に、少なくとも１つの診断試験所内移送コンパートメントが２つの支持部品間に位置決めされ得る最小距離で固定された少なくとも２つの支持部品を備える。支持部品は、少なくとも１つの他の部品をフレーム内外の３次元空間内に位置決めするために、少なくとも１つの他の部品が可動に（例えば、枢軸点、関節などにより接続され）または不可動に（例えば、溶接、ボルト止め、など）接続され得る担体構成要素であり得る。
【０１０１】
ある実施形態では、フレームおよび支持部品は、単一の部品として成型される。このことは、センタリングユニットの剛性を改善し、それゆえ診断試験所内移送コンパートメントのセンタリングの精度を改善する。
【０１０２】
ある実施形態では、診断試験所内移送コンパートメント用センタリングユニットは、１つの端部毎に把持部を有する少なくとも２つのヒンジ式アームを備える。少なくとも２つのヒンジ式アームが、アーム対を形成するフレームに枢動可能に互いに対向して搭載されている。アーム対の把持部は、少なくとも２つのヒンジ式アームの各々を屈曲および伸張させることによって、受取りおよび解放の位置ならびにセンタリング位置に位置決めされ得る。受取りおよび解放の位置では、診断試験所内移送コンパートメントおよび／または診断試験所内移送コンパートメントホルダを２つの把持部間で移動および／または再移動させるために、２つの把持部間の距離は、十分に広い。センタリング位置では、２つの把持部は、両側からセンタリング位置の垂直軸の方向に一様に押圧する。診断試験所内移送コンパートメントが、２つの把持部間に位置決めされる場合、２つの把持部は、両側から診断試験所内移送コンパートメントを一様に押圧し、それにより診断試験所内移送コンパートメントをセンタリングする。
【０１０３】
ある実施形態では、少なくとも２つのヒンジ式アームの各々は、それぞれの関節を用いて互いに枢動可能に接続された第１のアーム部材および第２のアーム部材を有する。第１のアーム部材は、第２のアーム部材と比較して、異なるまたは同一の形状および／または寸法（例えば、長さ、直径、幅など）を有する。第１および第２のアーム部材は、十分な剛性を有する任意の適切な材料（例えば、金属またはプラスチック）からなる。各ヒンジ式アームはまた、第１のアーム部材の関節接続の反対側の端部に、把持部がセンタリング位置にあるとき、把持部が水平に位置決めされる角度で取り付けられた把持部を備える。
【０１０４】
さらに具体的な実施形態では、それぞれの関節は、ピン継手であり、各ヒンジ式アームの第１および第２のアーム部材が互いの方向および離れる方向へ枢動し、それにより少なくとも２つのヒンジ式アームの各々を屈曲および伸張させることを可能にする。
【０１０５】
ある実施形態では、それぞれの関節は、伸縮性のある継手であり、各ヒンジ式アームの第１および第２のアーム部材が互いの方向および離れる方向へ枢動し、それにより少なくとも２つのヒンジ式アームの各々を屈曲および伸張させることを可能にする。
【０１０６】
ある実施形態では、各ヒンジ式アームの第１のアーム部材の中央領域は、フレーム上の枢軸点に対して枢動可能に接続されている。
【０１０７】
さらに具体的な実施形態では、把持部と少なくとも２つのヒンジ式アームの各々の枢軸点との間の距離、および枢軸点と少なくとも２つのヒンジ式アームの各々のそれぞれの関節との間の距離は、１と０．１の間の比を有する。この配置の利点は、第１および第２のアーム部材の長い回転動作が、短くさらに高精度な把持部動作へと変換されることである。したがって、第１および第２のアーム部材の製造公差は、補償され、試験所内移送コンパートメントのさらに正確なセンタリングをもたらし得る。
【０１０８】
ある実施形態では、診断試験所内移送コンパートメントの高さに対する把持部の位置は、信頼できる試料処理が可能であるように選択される。
【０１０９】
さらに具体的な実施形態では、把持部は、把持部による汚染を回避することによって試験試料を高信頼性において処理するために、試験所内移送コンパートメントの上部開口下の高さが少なくとも２０％の位置で診断試験所内移送コンパートメントを把持するように構成され得る。さらに、診断試験所内移送コンパートメントの表面に対する把持部の接触点、ライン、または領域のサイズは、貼付されたバーコードまたはＲＦＩＤタグを損傷するリスクを最小限にするためにできるだけ小さくされている。
【０１１０】
ある実施形態では、少なくとも２つのヒンジ式アームの把持部は、二またに分かれている。各二またに分かれた把持部は、２つの左右対称な同一の長さの、互いに１°と１７９°の間の角度を有するフィンガを備え、２つのフィンガ先端は、把持部がセンタリング位置にあるとき、水平面上に位置決めされる。２つのフィンガは、直線のまたは湾曲した形状、あるいはその組合せを有する。２つの直線のフィンガおよび互いに９０°の角度を有する二またに分かれた把持部の一例は、診断試験所内移送コンパートメントと２つの分離した接点で接触するＶ字形状把持部である。センタリングされることになる診断試験所内移送コンパートメントの寸法の範囲により、２つのフィンガ間の角度は、選択されるべきである。把持部と診断試験所内移送コンパートメントとの間の接点は、センタリング安定性を改善する湾曲形状を有するフィンガによって、増大され得る。二またに分かれた把持部は、円筒状の診断試験所内移送コンパートメントの縦軸をセンタリング位置の垂直軸に位置合わせするのに有利である。
【０１１１】
さらなる実施形態では、ヒンジ式アームの把持部は、診断試験所内移送コンパートメントに２つの対向する接触ラインまたは接触領域で接触する平坦なクランプであってもよい。平坦なクランプは、直方体の診断試験所内移送コンパートメントの縦軸をセンタリング位置の垂直軸に位置合わせするのに有利である。
【０１１２】
ある実施形態では、センタリング位置の垂直軸は、２つの対向する把持部間の距離の中央によって決定される。把持部が、二またに分かれた把持部であるとき、センタリング位置の垂直軸は、二またに分かれた把持部の２つの対向するフィンガ先端間の距離の中央によってさらに決定される。
【０１１３】
ある実施形態では、センタリング位置の垂直軸は、ピペット装置の吸引および／または分注位置に位置合わせされ、正確かつ安全なピペット操作を可能にする。
【０１１４】
別の実施形態では、センタリング位置の垂直軸は、診断試験所内移送コンパートメント取扱装置の取扱位置に位置合わせされ、正確かつ安全な取扱操作を可能にする。
【０１１５】
ある実施形態では、各ヒンジ式アームの把持部と枢軸点との間の距離は、第１のアーム部材の全体の製造精度の範囲内で、同一である。このことは、把持部の接触点、ライン、または領域が、センタリング位置の垂直軸に関して互いに対向することを保証する。
【０１１６】
ある実施形態では、診断試験所内移送コンパートメント用センタリングユニットは、２つのヒンジ式アームが枢動可能に接続されるコネクタをさらに備える。
【０１１７】
さらに具体的な実施形態では、ヒンジ式アームの２つの第２のアーム部材の関節接続の反対の端部が、コネクタ上の２つの枢軸点に対して枢動可能に接続される。
【０１１８】
代替の実施形態では、２つの第２のアーム部材の関節接続の反対の端部が、コネクタ上の１つの枢軸点に対して枢動可能に接続される。
【０１１９】
ある実施形態では、コネクタは、ピペット装置または取扱装置が、ヒンジ式アーム対の把持部間に配置された診断試験所内移送コンパートメントの開口上部への直接進入路を有するように、ヒンジ式アームの下方に配置される。このことにより、診断試験所内移送コンパートメントが２つのヒンジ式アームの把持部間に位置決めされ、センタリングされた位置に維持されるとき、ピペット操作または取扱操作が可能になる。
【０１２０】
ある実施形態では、診断試験所内移送用センタリングユニットは、また、コネクタが可動に接続された誘導構成要素を備える。誘導構成要素は、第１の移動方向と、第１の方向と反対の第２の移動方向と、コネクタの移動距離とを規定する。コネクタの二方向移動は、把持部を受取りおよび解放の位置、ならびにセンタリング位置に導くために、２つのヒンジ式アームの同期した回転に変換される。２つのヒンジ式アームの同期は、それゆえ、有利に、診断試験所内移送コンパートメントを正確にセンタリングすることができる。
【０１２１】
具体的な実施形態では、コネクタの二方向移動は、直線的な下方／上方への移動または前方／後方への移動である。
【０１２２】
ある実施形態では、誘導構成要素は、コネクタに関してセンタリングされた垂直の向きを有するコネクタの上方および下方への移動のためのロッドである。コネクタの上方への移動は、２つのヒンジ式アームの屈曲をもたらす。それにより、把持部は、センタリング位置の垂直軸の方向へ同期して移動する。コネクタの下方への移動は、ヒンジ式アームの伸張をもたらす。それにより、ヒンジ式アームは伸張し、把持部は、センタリング位置の垂直軸の方向から離れる方向へ、かつ診断試験所内移送コンパートメントの受取りおよび解放の位置へ、同期して移動する。
【０１２３】
ある実施形態では、コネクタは、コネクタを誘導構成要素に沿って下方に移動させるために十分に重い材料（例えば、鉄または重い合金）からなる。
【０１２４】
さらに具体的な実施形態では、誘導構成要素は、把持部間に配置されている診断試験所内移送コンパートメントの上部への直接進入路を提供するために、コネクタの下方に配置され得る。
【０１２５】
ある実施形態では、診断試験所内移送用センタリングユニットは、さらなるコネクタおよび弾性部材を備える。さらなるコネクタおよびコネクタは、弾性部材を使用して、互いに弾性的に接続される。さらなるコネクタおよびコネクタは、誘導構成要素上に可動に接続される。コネクタとさらなるコネクタとの間の弾性部材が、さらなるコネクタの移動を、コネクタ、少なくとも２つのヒンジ式アーム、および把持部の弾性的移動に変換する。したがって、コネクタとさらなるコネクタとの間に接続された弾性部材は、診断試験所内移送コンパートメントの多様な寸法を補償し得る。それゆえ、異なる寸法の診断試験所内移送コンパートメントの適合およびセンタリングは、単一の弾性部材に依存する。このことにより、２つの分離したまたは複数の弾性部材の不均一な劣化が生じないようにし得るので、維持活動およびコストが最小化され、可動停止時間が削減されることにより、毎日数百の診断試験所内移送コンパートメントが、センタリングされなければならない場合、困難な環境での長い稼働時間中、診断試験所内移送コンパートメントの正確で信頼性の高いセンタリングが可能になる。
【０１２６】
具体的な実施形態では、弾性部材は、ばねである。ばねは、線形特性ばねであり、誘導構成要素を取り囲んでもよい。
【０１２７】
ある実施形態では、さらなるコネクタは、誘導構成要素上に可動に接続される。把持部間に配置されている診断試験所内移送コンパートメントの上部への直接進入路を提供するために、さらなるコネクタは、コネクタの下方で誘導構成要素上に可動に接続される。
【０１２８】
ある実施形態では、さらなるコネクタは、互いに接続された上部構成要素および下部構成要素を備え、誘導構成要素に関して上方および下方からコネクタを取り囲む。さらなるコネクタの上部構成要素は、さらなるコネクタが下方へ移動しているとき、コネクタの下方への移動を支援する。
【０１２９】
ある実施形態では、診断試験所内移送用センタリングユニットは、さらなるコネクタを移動させるためのアクチュエータをさらに備える。アクチュエータは、さらなるコネクタに歯付きベルトを用いて連結されている、能動的に回転するロータを有する電気モータであってもよい。
【０１３０】
ある実施形態では、診断試験所内移送用センタリングユニットは、露出端部と露出端部の反対側の端部にあるさらなる把持部とを有する少なくとも１つの回転可能なアームを備える。少なくとも１つの回転可能なアームは、フレームまたはさらなる弾性部材を有するさらなるフレーム上の相手側部品に枢動可能に連結され対向する。露出端部は、回転可能なアームの回転、およびさらなる把持部のセンタリング位置の垂直軸から離れる方向への移動、をトリガするように適合される。
【０１３１】
ある実施形態では、回転可能なアームは、把持部が少なくとも２つのヒンジ式アームの把持部のうちの１つと誘導構成要素との間に配置されるように、フレームまたはさらなるフレーム上に枢動可能に連結される。
【０１３２】
ある実施形態では、露出端部は、回転可能なアームの回転、およびさらなる把持部のセンタリング位置の垂直軸から離れる方向への移動が、少なくとも２つのヒンジ式アームのうちの１つと係合することによってトリガされるように、位置決めされる。
【０１３３】
さらに具体的な実施形態では、回転可能なアームの露出端部は、少なくとも２つのヒンジ式アームのうちの１つの第１のアーム部材および第２のアーム部材によって画定された平面状の三角形内に配置される。この配置により、少なくとも２つのヒンジ式アームのうちの１つは、１つのヒンジ式アームが伸張するとき、回転可能なアームの露出端部を押圧する。露出端部上に結果として得られた圧力は、回転可能なアームの回転をもたらし、それによりさらなる把持部を診断試験所内移送コンパートメントホルダの受取りおよび解放の位置に位置決めする。回転可能なアームの回転を介して、さらなる弾性部材上の張力を発生させる。１つのヒンジ式アームが屈曲するとき、回転可能なアームの露出端部は、解放され、さらなる弾性部材の張力緩和をもたらし、さらなる把持部は、センタリング位置の垂直軸の方向へ移動する。２つのヒンジ式アームのうちの１つの屈曲および伸張が、さらなるアームの回転動作と、さらなる把持部の位置決めとを制御するので、診断試験所内移送コンパートメント用センタリングユニットは、診断試験所内移送コンパートメントと、その対応する診断試験所内移送コンパートメントホルダとを単一のアクチュエータを使用して同時に、有利にセンタリングすることができる。
【０１３４】
具体的な実施形態では、さらなる弾性部材は、ねじりばねである。
【０１３５】
さらなる具体的な実施形態では、さらなる把持部は、二またに分かれた把持部である。これは、円筒状の診断試験所内移送コンパートメントホルダの縦軸をセンタリング位置の垂直軸に位置合わせするのに有利である。
【０１３６】
代替実施形態では、さらなる把持部は、平坦なクランプである。これは、直方体の診断試験所内移送コンパートメントホルダの縦軸をセンタリング位置の垂直軸に位置合わせするのに有利である。
【０１３７】
ある実施形態では、診断試験所内移送コンパートメント用センタリングユニットは、診断試験所内移送コンパートメントホルダのセンタリングを支援するために使用される相手側部品をさらに備える。相手側部品は、フレーム上、または回転可能なアームのさらなる把持部がセンタリング位置にあるときにさらなる把持部に対向するさらなるフレーム上に固定される。相手側部品およびさらなる把持部は、互いに対する第２の最小距離を有し、その結果、少なくとも１つの診断試験所内移送コンパートメントホルダは、さらなる把持部と相手側部品との間に位置決めされ得るようになる。簡潔な相手側部品の使用は、同一の寸法の標準化された診断試験所内移送コンパートメントがセンタリングされなければならないとき、有利である。
【０１３８】
ある実施形態では、相手側部品は、露出端部および上述したようなさらなる把持部を有するさらなる回転可能なアームである。
【０１３９】
具体的な実施形態では、把持部を有する２つの回転可能なアームは、異なる寸法の診断試験所内移送コンパートメントホルダの縦軸をセンタリング位置の垂直軸に位置合わせするために、互いに対向して配置される。相手側部品は、さらなる弾性部材を有するさらなる支持部品上の枢軸点に対して枢動可能に接続された、回転可能なアームを備える。回転可能なアームは、露出端部と、露出端部の反対側の端部に取り付けられ、少なくとも２つのアームの把持部のうちの１つと誘導構成要素との間に配置された、さらなる把持部とを、有する。２つの回転可能なアームの把持部間の距離の中央が、センタリング位置の垂直軸を決定し、把持部と２つの回転可能なアームの各々の枢軸点との間の距離は、さらなるアームの全体の製造精度の範囲内で、同一である。このことは、診断試験所内移送コンパートメントホルダの表面上の２つのさらなる把持部の接触点、ライン、または領域が、診断試験所内移送コンパートメントホルダの縦軸に関して互いに対向することを保証する。この配置により、少なくとも２つのヒンジ式アームの屈曲および伸張は、２つの回転可能なアームの回転動作、ならびに２つのさらなる把持部の位置決めを制御する。したがって、診断試験所内移送コンパートメント用センタリングユニットは、異なる寸法の診断試験所内移送コンパートメントおよび異なる寸法の診断試験所内移送コンパートメントホルダを、単一のアクチュエータを使用して同時に、有利にセンタリングすることができる。
【０１４０】
ある実施形態では、診断試験所内移送コンパートメント用センタリングユニットは、少なくとも２つのアーム間を移動するとき診断試験所内移送コンパートメントまたは診断試験所内移送コンパートメントホルダに起因する光ビームの遮断を検出するように適合された光バリアをさらに備える。光ビームの遮断は、診断試験所内移送コンパートメント用センタリングユニットのさらなるコネクタを移動させるために、信号を解釈し命令をアクチュエータに送信するように構成されたソフトウェアを実行するように適合されたコンピュータデバイスを備える制御装置に伝送される信号を生成する。信号の１つの解釈は、診断試験所内移送コンパートメントホルダが、２つの把持部間に位置決めされ、アクチュエータが、センタリング位置に２つの把持部を位置決めするために、さらなるコネクタを移動させることである。
【０１４１】
ある実施形態では、診断試験所内移送コンパートメント用センタリングユニットは、診断試験所内移送コンパートメントコンベヤ上で移送される診断試験所内移送コンパートメントホルダを停止させるように構成されたストッパをさらに備え得る。ストッパは、診断試験所内移送コンパートメントホルダの移送経路を遮断および解放するための、診断試験所内移送コンパートメントコンベヤの移送経路に対して垂直の向きを有する、フレーム上またはさらなるフレーム上に固定された枢動障壁であり得る。結果的に、診断試験所内移送コンパートメントホルダは、診断試験所内移送コンパートメント用センタリングユニットに対して固定して維持され得て、その結果、把持部は、診断試験所内移送コンパートメントおよび診断試験所内移送コンパートメントホルダをセンタリングすることができる。
【０１４２】
ある実施形態では、診断試験所内移送コンパートメント用センタリングユニットは、少なくとも１つのさらなる診断試験所内移送コンパートメント用センタリングユニットに接続される。各診断試験所内移送コンパートメント用センタリングユニットのさらなるコネクタは、共通コネクタに接続される。共通コネクタは、少なくとも２つの誘導構成要素上に可動に接続され、アクチュエータに連結される。接続された診断試験所内移送コンパートメント用センタリングユニットの数は、ピペット装置の吸引／分注位置、および／または診断試験所内移送コンパートメント取扱装置の取扱位置の数に等しい。したがって、複数のアーム対を作動させることが可能であり、それにより、複数の診断試験所内移送コンパートメントおよび／または診断試験所内移送コンパートメントホルダを単一のアクチュエータで同時にセンタリングする。さらに、この配置により、接続された診断試験所内移送コンパートメント用センタリングユニットのさらなるアームは、試験試料試験管立てまたは試験試薬カセットラックを共にセンタリングすることができる。
【０１４３】
さらなる実施形態では、共通コネクタは、アクチュエータの拡張された能動的に回転するロータに、共通コネクタの各端部に配置された２つの歯付きベルトを介して、連結され得る。この構成により、共通コネクタの誘導および移動が、最適化される。
【０１４４】
ある具体的な実施形態では、共通コネクタは、第３の移動方向と、第３の方向と逆方向の第４の移動方向と、さらに共通コネクタの移動距離とを規定する追加の誘導構成要素上に可動に接続され、追加の誘導構成要素の第３の移動方向は、誘導構成要素の第１の移動方向と平行であり、追加の誘導構成要素の第４の移動方向は、誘導構成要素の第２の移動方向と平行である。追加の誘導構成要素は、共通コネクタの誘導および移動を支援し、さらに最適化する。
【０１４５】
さらに具体的な実施形態では、追加の誘導構成要素は、共通コネクタを取り囲む所定の長さを有する２つの平行なレールまたは切欠きを備える。
【０１４６】
ある実施形態では、共通コネクタは、互いに接続された上部構成要素および下部構成要素を備え、誘導構成要素に関して上方および下方から各センタリングユニットのコネクタを取り囲む。共通コネクタの上部構成要素は、共通コネクタが下方へ移動しているとき、各センタリングユニットのコネクタの下方への移動を支援する。
【０１４７】
また、本発明は、本明細書に記載の少なくとも１つの診断試験所内移送コンパートメント用センタリングユニットと、異なる寸法の少なくとも１つの診断試験所内移送コンパートメントを受けるように構成された１つまたは複数の可撓性アダプタを有する少なくとも１つの診断試験所内移送コンパートメントホルダと、少なくとも１つの診断試験所内移送コンパートメントを備える、試験所システムに関する。少なくとも１つの診断試験所内移送コンパートメントは、試験試料を含む容器であり、診断試験所内移送コンパートメントホルダ内に挿入される。
【０１４８】
本明細書では、用語「診断試験所内移送コンパートメントホルダ」は、少なくとも１つの診断試験所内移送コンパートメントを、受けること、保持すること、移送すること、および／または解放することに適合された任意の装置に関する。
【０１４９】
ある実施形態では、診断試験所内移送コンパートメントホルダは、円筒状の形状と、閉鎖底部と、１つの診断試験所内移送コンパートメントを直立体勢で挿入するための挿入領域を有する開口上部とを有する。診断試験所内移送コンパートメントホルダは、その水平断面と垂直で、中間点にある縦軸を有する。そのような円筒状の診断試験所内移送コンパートメントホルダの一例は、単一の試料試験管ホルダである。
【０１５０】
別の実施形態では、診断試験所内移送コンパートメントホルダは、直方体の形状と、閉鎖底部と、１つまたは複数の診断試験所内移送コンパートメントを直立体勢で挿入するための１つまたは複数の挿入領域を有する開口上部とを有する。直方体のホルダは、１つまたは複数の挿入領域の中間点に、その水平断面と垂直な１つまたは複数の縦軸を有する。そのような直方体の診断試験所内移送コンパートメントホルダの一例は、試験試料試験管立てである。そのような直方体の診断試験所内移送コンパートメントホルダの他の例は、試薬カセットラックである。
【０１５１】
ある実施形態では、診断試験所内移送コンパートメントホルダの挿入領域は、異なる寸法の診断試験所内移送コンパートメントを受けるように構成された可撓性アダプタを備える。
【０１５２】
本明細書では、用語「診断試験所内移送コンパートメント」は、試験試料（例えば、血液、尿、血清、血漿、または溶解された生検試料など）、試験試薬（例えば、免疫化学検査用試薬、臨床化学検査、凝固検査、血液検査、分子生物学の試験など）、またはその組合せなどの内容物を、受けること、貯蔵すること、移送すること、および／または解放することに適合された容器に関する。診断試験所内移送コンパートメントの内容物、試料処理ステップ、および製造者により材料は、直径、辺長、高さ、および形状などの診断試験所内移送コンパートメントの寸法と共に、さまざまである。
【０１５３】
ある実施形態では、診断試験所内移送コンパートメントは、円筒形状、閉鎖底部、およびに開口上部を有する容器であり、円筒状の容器は、その水平断面と垂直で、中間点にある縦軸を有する。
【０１５４】
別法として、円筒状の容器の閉鎖底部は、丸みを帯びていてもよい。そのような円筒状の診断試験所内移送コンパートメントの一例は、試験試料を含む容器である。
【０１５５】
別の実施形態では、診断試験所内移送コンパートメントは、直方体形状、閉鎖底部、およびに開口上部を有する容器であり、容器は、その水平断面と垂直で、中間点にある縦軸を有する。そのような直方体の診断試験所内移送コンパートメントの一例は、試験試薬を含む試薬カセットである。そのような直方体の診断試験所内移送コンパートメントの他の例は、試験試料または試験試薬、あるいはその混合物を含む反応キュベットである。
【０１５６】
ある実施形態では、診断試験所内移送コンパートメントは、診断試験所内移送コンパートメントに接続された、または独立で提供された、キャップまたは蓋を備えている。
【０１５７】
ある実施形態では、試験所システムは、少なくとも１つの吸引および／または分注位置を有するピペット装置をさらに備える。少なくとも１つの吸引および／または分注位置は、少なくとも１つの診断試験所内移送コンパートメント用センタリングユニットのセンタリング位置の垂直軸に位置合わせされる。この配置により、試料および／または試薬の正確で安全なピペット処理が保証される。
【０１５８】
別の実施形態では、試験所システムは、少なくとも１つの取扱位置を有する取扱装置をさらに備える。少なくとも１つの取扱位置は、少なくとも１つの診断試験所内移送コンパートメント用センタリングユニットのセンタリング位置の垂直軸に位置合わせされる。この配置により、試験所内移送コンパートメントの正確で安全な取扱いが保証される。
【０１５９】
ある実施形態では、ピペット装置および／または取扱装置は、予備分析、分析、または後分析ステーションの一部である。
【０１６０】
ある実施形態では、試験所システムは、試験所コンベヤシステムに動作可能に連結されることが可能である診断試験所内移送コンパートメントコンベヤをさらに備える。したがって、診断試験所内移送コンパートメントコンベヤは、把持部間の診断試験所内移送コンパートメントを移動および除去するために、試験所システムの予備分析、分析、および／または後分析ステーションなどのステーションに接続された試験所コンベヤシステムから、または試験所コンベヤシステムへ、診断試験所内移送コンパートメントを受け取り、解放することが可能である。
【０１６１】
ある実施形態では、診断試験所内移送コンパートメントコンベヤは、試験所コンベヤシステムの一部である。
【０１６２】
ある実施形態では、試験所コンベヤシステムは、少なくとも１つの診断試験所内移送コンパートメント用センタリングユニットの前側に配置され、試験所コンベヤシステム上で移送される診断試験所内移送コンパートメントホルダを停止させるように構成されたストッパを、さらに備え得る。ストッパは、診断試験所内移送コンパートメントホルダの移送経路を遮断および解放するための、試験所コンベヤシステムの移送経路に対して垂直の向きを有する、枢動障壁であり得る。結果的に、診断試験所内移送コンパートメントは、試験所コンベヤシステム上で固定して維持され得て、その結果、所定数の後続の診断試験所内移送コンパートメントが一番目の診断試験所内移送コンパートメントホルダに追いつくことができ、一群の診断試験所内移送コンパートメントが、少なくとも１つの診断試験所内移送コンパートメント用センタリングユニットへさらに移送され得る。
【０１６３】
また、本発明は、本明細書に記載の診断試験所内移送コンパートメント用センタリングユニットを使用して、診断試験所内移送コンパートメントをセンタリングするための方法に関する。方法は、以下の、
ａ）さらなるコネクタを第１の移動方向へ移動させるステップであって、それにより少なくとも２つのヒンジ式アームを伸張させ、把持部を診断試験所内移送コンパートメントの受取りおよび解放の位置に位置決めする、ステップと、
ｂ）把持部間の診断試験所内移送コンパートメントを移動させるステップと、
ｃ）さらなるコネクタを第２の移動方向へ移動させるステップであって、それにより少なくとも２つのヒンジ式アームを屈曲させ、把持部をセンタリング位置の垂直軸の方向へ移動させ、把持部は、診断試験所内移送コンパートメントを両側から押圧し、診断試験所内移送コンパートメントの縦軸をセンタリング位置の垂直軸と位置合わせする、ステップと、
ｄ）診断試験所内移送コンパートメントを解放するために第１のステップを繰り返すステップと、
ｅ）把持部間の診断試験所内移送コンパートメントを除去するステップとを
含む。
【０１６４】
その方法は、試験試料のピペット処理などの試料処理ステップが開始される前に、短時間で実行されなければならない。診断試験所内移送コンパートメント用センタリングユニットが、診断試験所内移送コンパートメントの開口上部への直接進入路を提供するので、その方法は、ピペット装置の直ぐ前で、またはまさにピペット装置において実行され得る。試験所内移送コンパートメントは、さらに、試料のピペット処理中、センタリングユニットの把持部によって、センタリング位置に維持され得て、このことが、試料処理ステップの安全性を顕著に改善する。
【０１６５】
ステップｃ）において、把持部は、診断試験所内移送コンパートメントを両側から押圧し、診断試験所内移送コンパートメントの縦軸をセンタリング位置の垂直軸と位置合わせする。両方の把持部が、同一の弾性部材にコネクタを介して弾性的に連結されているので、把持部は、診断試験所内移送コンパートメントを均一に両側から押圧する。このことは、複数の弾性部材の製造公差が回避されるので、異なる寸法を有する診断試験所内移送コンパートメントの、センタリング信頼性だけでなく、センタリング精度をも改善する。診断試験所内移送コンパートメントの正確なセンタリングは、試験試料分析のプロセスで通常実行されるピペット操作中の、診断試験所内移送コンパートメントとピペット装置との間の任意の接触を回避する。したがって、正確で信頼できるセンタリングの主要な利点は、診断試験所内移送コンパートメントおよびピペット装置の任意の試験試料相互汚染および損傷が、回避され、試験試料分析結果が、必要な品質および時間内でもたらされることである。
【０１６６】
ある実施形態では、診断試験所内移送コンパートメントをセンタリングする方法は、診断試験所内移送コンパートメントホルダをセンタリングするステップａ）およびステップｃ）における以下のステップをさらに含む。
・ステップａ）において、ヒンジ式アームのうちの少なくとも１つが、回転可能なアームの露出端部を押圧し、回転可能なアームの回転をもたらし、それによりさらなる把持部を診断試験所内移送コンパートメントホルダの受取りおよび解放の位置に位置決めし、さらなる弾性部材上の張力を発生させる。
・ステップｃ）において、ヒンジ式アームのうちの少なくとも１つが、回転可能なアームの露出端部を解放し、さらなる弾性部材の張力緩和および回転可能なアームの回転をもたらし、それにより、さらなる把持部をセンタリング位置の垂直軸の方向へ移動させる。把持部は、診断試験所内移送コンパートメントホルダの縦軸をセンタリング位置の縦軸に位置合わせするために、診断試験所内移送コンパートメントホルダと相手側部品とを押圧する。
【０１６７】
ある実施形態では、診断試験所内移送コンパートメントの縦軸がセンタリング位置の垂直軸と位置合わせされる前に、診断試験所内移送コンパートメントホルダの縦軸がセンタリング位置の垂直軸に位置合わせされ、診断試験所内移送コンパートメントが解放されたあとに解放される。
【０１６８】
その方法のさらなる実施形態では、少なくとも２つのヒンジ式アームの把持部間の診断試験所内移送コンパートメントの移動、および少なくとも２つのヒンジ式アームの把持部間の診断試験所内移送コンパートメントの除去は、診断試験所内移送コンパートメントコンベヤによって介在される。
【０１６９】
本明細書で開示した、診断試験所内移送コンパートメント用センタリングユニット、試験所システム、および診断試験所内移送コンパートメント用センタリングユニットを用いて診断試験所内移送コンパートメントをセンタリングする方法の、特徴の具体的な実施形態は、本明細書で説明されたようなものである。
【図面の簡単な説明】
【０１７０】
【図１】本明細書に記載の診断試験所内移送コンパートメント用センタリングユニットの断面図である。図１Ａは、センタリング位置にある把持部を有する、診断試験所内移送コンパートメント用センタリングユニットの断面図である。図１Ｂは、診断試験所内移送コンパートメントの受取りおよび解放の位置にある把持部を有する、診断試験所内移送コンパートメント用センタリングユニットの断面図である。
【図２】本明細書に記載の接続された診断試験所内移送コンパートメント用センタリングユニットの側面図である。図２Ａは、診断試験所内移送コンパートメントの受取りおよび解放の位置にある診断試験所内移送コンパートメント用センタリングユニットの把持部の側面図である。図２Ｂは、接続された診断試験所内移送コンパートメント用センタリングユニットの把持部によってセンタリングされた同一の直径および高さを有する診断試験所内移送コンパートメントの側面図である。図２Ｃは、接続された診断試験所内移送コンパートメント用センタリングユニットの把持部によってセンタリングされた異なる直径を有する診断試験所内移送コンパートメントの側面図である。
【図３】診断試験所内移送コンパートメント用センタリングユニットの斜視および拡大図である。図３は、診断試験所内移送コンパートメントおよび診断試験所内移送コンパートメントホルダの縦軸をセンタリング位置の垂直軸と位置合わせされた診断試験所内移送コンパートメント用センタリングユニットの把持部の図である。
【図４】診断試験所内移送コンパートメントおよび診断試験所内移送コンパートメントホルダをセンタリングするための試験所システムの図である。
【図５】診断試験所内移送コンパートメントホルダおよび診断試験所内移送コンパートメントの実施形態の図である。
【発明を実施するための形態】
【０１７１】
図１は、本明細書に記載の診断試験所内移送コンパートメント用センタリングユニット（１）の一実施形態の断面図を示す。図１Ａでは、診断試験所内移送コンパートメント用センタリングユニット（１）の把持部（９ａおよび９ｂ）は、診断試験所内移送コンパートメントのセンタリング位置にある。図１Ｂでは、診断試験所内移送コンパートメント用センタリングユニット（１）の把持部（９ａおよび９ｂ）は、診断試験所内移送コンパートメントの受取りおよび解放の位置にある。図に示すように、センタリングユニット（１）は、所定の距離で互いに対向するフレーム（３）に固定された２つの支持部品（２ａおよび２ｂ）を備える。センタリングユニット（１）は、２つのアーム（４ａ、４ｂ）をさらに備える。各アームは、それぞれの関節（７ａおよび７ｂ）を用いて互いに枢動可能に接続された第１のアーム部材（５ａおよび５ｂ）および第２のアーム部材（６ａおよび６ｂ）を有する。図１に示すように、第１のアーム部材の中央領域では、各アームは、各支持部品（２ａおよび２ｂ）上の枢軸点（８ａおよび８ｂ）に対して枢動可能に接続されている。各第１のアーム部材の関節接続の反対側の端部には、把持部（９ａおよび９ｂ）が取り付けられている。２つの把持部間の距離の中央が、センタリング位置（１０）の垂直軸を決定する。各アームの把持部（９ａおよび９ｂ）と枢軸点（８ａおよび８ｂ）との間の距離は、同一であり、その結果、２つの把持部間の接点が、センタリング位置（１０）の垂直軸と正確に位置合わせされる。図１は、また、各第２のアーム部材の関節接続の反対側の２つの端部が、２つの枢軸点（１２ａおよび１２ｂ）に対して枢動可能に接続されているコネクタ（１１）を示し、コネクタ（１１）は、誘導構成要素（１３）上に可動に接続されている。示した実施形態では、診断試験所内移送コンパートメント用センタリングユニット（１）は、そのコネクタ（１１）およびさらなるコネクタ（１５）に接続された弾性部材（１４）を備える。さらなるコネクタ（１５）は、誘導構成要素（１３）上に可動に接続される。診断試験所内移送コンパートメント用センタリングユニット（１）は、さらなるコネクタを枢軸点（８ａ、８ｂ）から遠ざけたり近づけたりするように移動させるための、アクチュエータ（１６）を有する。
【０１７２】
図１Ｂに示すように、さらなるコネクタ（１５）は、図１Ａと対照的に、枢軸点（８ａ、８ｂ）から離れるように移動されている。枢軸点（８ａ、８ｂ）から離れるさらなるコネクタ（１５）の移動は、第１のアーム部材（５ａ、５ｂ）および第２のアーム部材（６ａ、６ｂ）を互いから離す回転、ならびに２つのアーム（４ａ、４ｂ）の同期した拡張をもたらす。それにより、把持部（９ａ、９ｂ）は、診断試験所内移送コンパートメントの受取りおよび解放の位置に配置される。さらなるコネクタ（１５）が、図１Ａに示すように再び枢軸点（８ａ、８ｂ）の方向へ移動されるとき、第１のアーム部材（５ａ、５ｂ）および第２のアーム部材（６ａ、６ｂ）は、互いの方向へ回転し、２つのアーム（４ａ、４ｂ）は、屈曲する。それにより、把持部（９ａ、９ｂ）は、センタリング位置（１０）の垂直軸の方向へ移動する。
【０１７３】
図１に示すように、診断試験所内移送コンパートメント用センタリングユニット（１）は、２つの支持部品のうちの１つ（２ｂ）の下にあるフレーム（３）上に固定されたさらなる支持部品（１７）を備える。さらなるアーム（１８）が、さらなる支持部品上の枢軸点（１９）に対して枢動可能に接続される。さらなるアーム（１９）は、２つのアームのうちの１つ（４ｂ）の第１のおよび第２のアーム部材によって画定された平面状の三角形内に配置された露出端部（２０）を有する。露出端部の反対側の端部では、さらなるアーム（１９）はさらなる把持部（２１）を有し、このさらなる把持部は、２つのアームのうちの１つの把持部（９ｂ）の下部に配置される。図１Ａは、また、フレーム（３）の一部であり、２つの支持部品のうちの１つ（２ａ）の下部に配置され、さらなる把持部がセンタリング位置にあるとき、さらなる把持部（２１）に対向する、相手側部品（２２）を示す。アーム（４ａおよび４ｂ）は、図１Ｂに示すように拡張されるとき、２つのアームのうちの１つの第１のアーム部材（５ｂ）が、さらなるアーム（１８）の露出端部（２０）上を押圧し、さらなるアームの回転をもたらし、それにより、さらなるアームのさらなる把持部（２１）を診断試験所内移送コンパートメントホルダの受取りおよび解放の位置に位置決めし、さらなる弾性部材上の張力を発生させる。アーム（４ａおよび４ｂ）は、図１Ａに示すように再び屈曲するとき、２つのアームのうちの１つの第１のアーム部材（５ｂ）が、さらなるアーム（１８）の露出端部（２０）を解放し、さらなる弾性部材の張力緩和およびさらなるアームの回転をもたらし、それにより、さらなる把持部（２１）をセンタリング位置（１０）の垂直軸の方向へ移動させる。図１でさらに示したように、診断試験所内移送コンパートメント用センタリングユニットは、センタリングユニットのアーム対間の診断試験所内移送コンパートメントホルダまたは診断試験所内移送コンパートメントの存在および／または不在を検出するための、光バリア（２７）を備える。
【０１７４】
図２Ａ〜Ｃは、最大で８つの診断試験所内移送コンパートメントを同時にセンタリングするために、７つのさらなる診断試験所内移送コンパートメント用センタリングユニット（１ａ〜１ｇ）に接続された、診断試験所内移送コンパートメント用センタリングユニット（１）の一実施形態の側面図を示す。図２Ａは、接続された診断試験所内移送コンパートメント用センタリングユニット（１〜１ｇ）を示し、それらは、診断試験所内移送コンパートメントの受取り／解放の位置にある、それらの把持部（９ａ〜９ｏ）を有する。示した実施形態では、把持部（９ａ〜９ｏ）は、二またに分かれており、その結果、センタリング位置での診断試験所内移送コンパートメントとの接触面は、上面視でＵまたはＶ字状に形成される。さらに示すように、各診断試験所内移送コンパートメント用センタリングユニットのさらなるコネクタは、１つの共通コネクタ（２３）に接続される。共通コネクタ（２３）は、各センタリングユニットの誘導構成要素（１３）上に可動に接続される。図２Ａに示すように、接続された診断試験所内移送コンパートメント用センタリングユニット（１〜１ｇ）は、共通コネクタ（２３）に２つの歯付きベルト（２４ａ、２４ｂ）で連結されている単一のアクチュエータ（１６）を有する。このことが、複数の診断試験所内移送コンパートメント用センタリングユニット（１〜１ｇ）の簡潔で、費用効率の高い作動を提供する。当然、接続された診断試験所内移送コンパートメント用センタリングユニット（１〜１ｇ）の数は、異なるピペット装置の吸引および／または分注位置の数あるいは異なる取扱装置の取扱位置の数に応じて、スケーラブルである。
【０１７５】
図２Ｂは、同一の直径および高さを有する８つの診断試験所内移送コンパートメント（２５ａ〜ｈ）がセンタリングユニットの把持部間に配置されているときの、接続された診断試験所内移送コンパートメント用センタリングユニット（１〜１ｇ）を示し、図２Ｃでは、診断試験所内移送コンパートメント（２５ａ〜ｊ）は、２つの異なる直径を有する。診断試験所内移送コンパートメント２５ｉおよび２５ｊは、診断試験所内移送コンパートメント２５ａ、２５ｂ、２５ｄ、２５ｆ、２５ｇ、および２５ｈと比較してより小さい直径を有する。診断試験所内移送コンパートメントの直径により、弾性部材（１４〜１４ｇ）は、より大きい診断試験所内移送コンパートメントの直径では、より高い弾性部材の圧縮となる、異なる圧縮を受ける。したがって、弾性部材１４、１４ａ、１４ｃ、１４ｅ、１４ｆ、および１４ｇは、弾性部材１４ｂおよび１４ｄと比較してより高い圧縮を受ける。
【０１７６】
図３は、可撓性アダプタ（２９）を有する診断試験所内移送コンパートメントホルダ（２８）が、さらなる把持部（２１）によってセンタリングされ、診断試験所内移送コンパートメント（２５）が、二またに分かれた把持部（９ｏ、９ｐ）によってセンタリングされているときの、図２の診断試験所内移送コンパートメント用センタリングユニット１ｇの斜視図および拡大図を提供する。接続されたセンタリングユニット１ｇの把持部（９ｏ、９ｐ）の反対側の位置が、診断試験所内移送コンパートメント（２５）および診断試験所内移送コンパートメントホルダ（２８）の縦軸（３０）を、診断試験所内移送コンパートメント用センタリングユニット１ｇの横方向の軸（３５）に沿ったセンタリング位置（１０）の垂直軸と位置合わせすることを可能にする。示した実施形態では、センタリングユニットの把持部（９ｏ、９ｐ）は、二またに分かれている。二またに分かれた把持部は、診断試験所内移送コンパートメント（２５）および診断試験所内移送コンパートメントホルダ（２８）の縦軸（３０）の、センタリングユニットの横方向の軸（３６）に垂直な軸に沿ったセンタリング位置（１０）の垂直軸と位置合わせすることを可能にする。ある実施形態では、診断試験所内移送コンパートメント用センタリングユニットは、把持部（９ｏ、９ｎ）間で診断試験所内移送コンパートメントを移動および除去するための診断試験所内移送コンパートメントコンベヤ（２６）に接続されている。
【０１７７】
図４は、異なる直径を有する８つの診断試験所内移送コンパートメント（２５）を、ピペット装置（３３）の８つの吸引／分注位置（３２）に、同時にセンタリングする試験所システムの一実施形態（３１）を示す。異なる直径を有する８つの診断試験所内移送コンパートメント（２５）は、可撓性アダプタを使用して、８つの診断試験所内移送コンパートメントホルダ内に挿入される（図３の２９）。各吸引および／または分注位置（３２）は、対応する診断試験所内移送コンパートメント用センタリングユニット（１〜１ｇ）のセンタリング位置（１０）の垂直軸に位置合わせされる。診断試験所内移送コンパートメント用センタリングユニット（１〜１ｇ）のアーム対間の診断試験所内移送コンパートメントホルダを移動および除去するために、試験所システムは、試験所コンベヤシステム（３４）に動作可能に連結された診断試験所内移送コンパートメントコンベヤ（２６）を備える。診断試験所内移送コンパートメントホルダおよび対応する診断試験所内移送コンパートメントが、アーム対間に配置されるとき、光ビームの遮断が、光バリア（図１の２７）によって検出され、制御装置（３６）に伝送される信号を生成する。制御装置（３６）は、さらなるコネクタを枢軸点の方向へ移動させ、それにより把持部をセンタリング位置（１０）の垂直軸の方向へ移動させるために、信号を解釈し、命令をアクチュエータに送信するように構成されたソフトウェアを実行するように適合されたコンピュータデバイス（３７）を備える。図４でさらに示したように、接続された診断試験所内移送コンパートメント用センタリングユニットの前側では、診断試験所内移送コンパートメントをグループ化するためのストッパ（３５）が、センタリングされることになり、次に、接続された診断試験所内移送コンパートメント用センタリングユニットに移送される。
【０１７８】
図５Ａ〜Ｂは、診断試験所内移送コンパートメントホルダの実施形態を示す。図５Ａは、円筒状の形状と、閉鎖底部（３９）と、１つの診断試験所内移送コンパートメントを直立体勢で挿入するための挿入領域（４０）を有する開口上部とを含む、診断試験所内移送コンパートメントホルダ（３８）を示す。診断試験所内移送コンパートメントホルダ（３８）は、その水平断面と垂直で、中間点にある縦軸（４１）を有する。診断試験所内移送コンパートメントホルダの挿入領域は、異なる寸法の診断試験所内移送コンパートメントを受けるように構成された可撓性アダプタ（４２）を備える。図５Ｂは、直方体の形状と、閉鎖底部（４４）と、複数の診断試験所内移送コンパートメントを直立体勢で挿入するための５つの挿入領域（４５）を有する上部とを含む、診断試験所内移送コンパートメントホルダ（４３）を示す。直方体の診断試験所内移送コンパートメントホルダ（４３）は、５つの挿入領域の中間点に、その水平断面と垂直な５つの縦軸（４６）を有する。図５Ｃ〜Ｇは、診断試験所内移送コンパートメントの実施形態を示す。図５Ｃは、円筒状の形状と、閉鎖底部（４８）と、開口上部（４９）とを含む、診断試験所内移送コンパートメント（４７）を示す。円筒状の診断試験所内移送コンパートメントは、その水平断面と垂直で、中間点にある縦軸（５０）を有する。別法として、円筒状の診断試験所内移送コンパートメント（４７）の閉鎖底部（５１）は、図５Ｄに示すように、丸みを帯びていてもよい。図５Ｅは、キャップ（５２）を備えている診断試験所内移送コンパートメント（４７）を示す。図５Ｆでは、直方体の形状（５３）と、閉鎖底部（５４）と、１つのピペット処理用開口（５５）を有する上部とを含む、診断試験所内移送コンパートメントを示す。診断試験所内移送コンパートメントは、１つのピペット処理用開口の中間点にあり、その水平断面と垂直な１つの縦軸（５６）を有する。図５Ｇでは、２つのピペット処理用開口（５８）を有する上部を含む直方体の診断試験所内移送コンパートメント（５７）を示す。したがって、診断試験所内移送コンパートメントは、２つのピペット処理用開口の中間点にありその水平断面と垂直な２つの縦軸（５９）を有する。
【図１】
2018179989.tif 000003
【図２】
2018179989.tif 000004
【図３】
2018179989.tif 000005
【図４】
2018179989.tif 000006
【図５】
2018179989.tif 000007
【外国語明細書】
2018179989000001.pdf